(57)【特許請求の範囲】
【請求項１】
受信端末に適用されるメッセージ表示方法であって、
前記受信端末によって、第１の配信された情報を受信するステップであって、前記第１の配信された情報は音声の配信された情報を含むステップと、
前記受信端末によって、前記第１の配信された情報からキー情報を抽出し、前記第１の配信された情報内の前記キー情報と前記受信端末に対応するユーザ名とを照合するステップと、
前記受信端末によって、お互いに成功して照合する前記受信端末に対応する前記ユーザ名および前記第１の配信された情報を束縛するステップと、
前記受信端末によって、前記受信端末に対応する前記ユーザ名に従って生成されたリマインダメッセージを表示するステップを含み、前記第１の配信された情報に前記ユーザ名があるときにリマインドする
ことを特徴とする方法。
【請求項２】
前記キー情報は、名前情報または呼称情報を含むことを特徴とする請求項１に記載の方法。
【請求項３】
前記受信端末によって、前記第１の配信された情報からキー情報を抽出し、前記第１の配信された情報内の前記キー情報と前記受信端末に対応するユーザ名とを照合する前記ステップは、
前記キー情報から前記名前情報を抽出するために、前記受信端末によって、前記第１の配信された情報から抽出された前記キー情報に対して意味解析を実行するステップと、
前記受信端末によって、前記名前情報が前記受信端末に対応する前記ユーザ名と一致するかどうかを検出するステップと
を含み、前記受信端末によって、お互いに成功して照合する前記受信端末に対応する前記ユーザ名および前記第１の配信された情報を束縛する前記ステップは、
前記第１の配信された情報内の前記名前情報が前記受信端末に対応する前記ユーザ名と一致するときに、前記受信端末によって、前記第１の配信された情報および前記受信端末に対応する前記ユーザ名を束縛するステップ
を含むことを特徴とする請求項２に記載の方法。
【請求項４】
前記受信端末によって、第１の配信された情報を受信する前記ステップの前に、
前記受信端末によって、前記受信端末に送信されたヒストリカル配信された情報内の呼称情報を入手するステップと、
前記受信端末によって、前記ヒストリカル配信された情報内の前記呼称情報に従って、前記ヒストリカル配信された情報内の前記呼称情報と前記受信端末に対応する前記ユーザ名との間の対応を確立するステップと、
前記受信端末によって、前記対応を記憶するステップと
を含むことを特徴とする請求項２に記載の方法。
【請求項５】
前記受信端末によって、前記第１の配信された情報からキー情報を抽出し、前記第１の配信された情報内の前記キー情報と前記受信端末に対応するユーザ名とを照合する前記ステップは、
前記キー情報から前記呼称情報を抽出するために、前記受信端末によって、前記第１の配信された情報から抽出された前記キー情報に対して意味解析を実行するステップと、
前記受信端末によって、前記第１の配信された情報内の前記呼称情報に従って、前記第１の配信された情報内の前記呼称情報が前記受信端末に対応する前記ユーザ名に対応するかどうかを検出するステップと
を含み、前記受信端末によって、お互いに成功して照合する前記受信端末に対応する前記ユーザ名および前記第１の配信された情報を束縛する前記ステップは、
前記第１の配信された情報内の前記呼称情報が前記受信端末に対応する前記ユーザ名に対応するときに、前記受信端末によって、前記第１の配信された情報および前記受信端末に対応する前記ユーザ名を束縛するステップ
を含むことを特徴とする請求項４に記載の方法。
【請求項６】
前記第１の配信された情報が前記受信端末に対応する前記ユーザ名と成功して照合するときに、前記受信端末によって、第１の配信された情報を受信する前記ステップの後に、
前記受信端末によって、第２の配信された情報を受信し、前記第２の配信された情報からキー情報を抽出するステップと、
前記受信端末によって、前記第１の配信された情報内の前記名前情報または前記呼称情報と前記第２の配信された情報内の前記キー情報とを使用することによって、前記第２の配信された情報および前記第１の配信された情報に対して意味相関分析を実行するステップと、
前記第２の配信された情報が前記第１の配信された情報と成功して意味的に相関されるときに、前記受信端末によって、前記受信端末に対応する前記ユーザ名および前記第２の配信された情報を束縛し、リマインダメッセージを表示するステップと
を含むことを特徴とする請求項３または５に記載の方法。
【請求項７】
送信端末に適用されるメッセージ表示方法であって、
前記送信端末によって、第１の入力情報を受信するステップであって、前記第１の入力情報は音声入力情報を含むステップと、
前記送信端末によって、前記第１の入力情報からキー情報を抽出し、前記第１の入力情報内の前記キー情報と通信リスト内のユーザ名とを照合するステップと、
前記送信端末によって、ターゲットユーザ名を判定するステップであって、前記ターゲットユーザ名は、前記第１の入力情報内の前記キー情報と成功して照合するユーザ名である、判定するステップと、
受信端末が、前記ターゲットユーザ名に従って生成されたリマインダメッセージを表示するようにするために、前記送信端末によって、前記第１の入力情報および前記ターゲットユーザ名を束縛し、束縛された前記第１の入力情報および前記ターゲットユーザ名を前記受信端末に送信するステップを含み、前記第１の入力情報に前記ユーザ名があるときにリマインドする
ことを特徴とする方法。
【請求項８】
前記キー情報は、名前情報または呼称情報を含むことを特徴とする請求項７に記載の方法。
【請求項９】
メッセージ表示デバイスであって、前記デバイスは、少なくとも入力ユニット、処理ユニット、および通信ユニットを備え、
前記入力ユニットは、第１の入力情報を受信するように構成され、前記第１の入力情報は音声入力情報を含み、
前記処理ユニットは、前記第１の入力情報からキー情報を抽出し、前記第１の入力情報内の前記キー情報と通信リスト内のユーザ名との間で照合するように構成され、
ターゲットユーザ名を判定するように構成され、前記ターゲットユーザ名は、前記第１の入力情報内の前記キー情報と成功して照合するユーザ名であり、
前記通信ユニットは、受信端末が、前記ターゲットユーザ名に従って生成されたリマインダメッセージを表示するようにするために、前記第１の入力情報および前記ターゲットユーザ名を束縛し、束縛された前記第１の入力情報および前記ターゲットユーザ名を前記受信端末に送信するように構成され、前記第１の入力情報に前記ユーザ名があるときにリマインドする
ことを特徴とするデバイス。
【請求項１０】
メッセージ表示デバイスであって、前記デバイスは、少なくとも処理ユニットと通信ユニットとを備え、
前記通信ユニットは、第１の配信された情報を受信するように構成され、前記第１の配信された情報は音声の配信された情報を含み、
前記処理ユニットは、前記第１の配信された情報からキー情報を抽出し、前記第１の配信された情報内の前記キー情報と受信端末に対応するユーザ名との間で照合するように構成され、
お互いに成功して照合する前記受信端末に対応する前記ユーザ名および前記第１の配信された情報を束縛するように構成され、
前記受信端末に対応する前記ユーザ名に従って生成されたリマインダメッセージを表示するように構成され、前記第１の配信された情報に前記ユーザ名があるときにリマインドする
ことを特徴とするデバイス。
【請求項１１】
前記キー情報は、名前情報または呼称情報を含むことを特徴とする請求項１０に記載のデバイス。
【請求項１２】
前記処理ユニットは、前記キー情報から前記名前情報を抽出するために、前記第１の配信された情報から抽出された前記キー情報に対して意味解析を実行するようにさらに構成され、
前記名前情報が前記受信端末に対応する前記ユーザ名と一致するかどうかを検出するように構成され、
前記第１の配信された情報内の前記名前情報が前記受信端末に対応する前記ユーザ名と一致するときに、前記第１の配信された情報および前記受信端末に対応する前記ユーザ名を束縛するように構成される
ことを特徴とする請求項１１に記載のデバイス。
【請求項１３】
ストレージユニットをさらに備え、前記処理ユニットは、前記受信端末に送信されたヒストリカル配信された情報内の呼称情報を入手するようにさらに構成され、
前記ヒストリカル配信された情報内の前記呼称情報に従って、前記ヒストリカル配信された情報内の前記呼称情報と前記受信端末に対応する前記ユーザ名との間の対応を確立するように構成され、
前記ストレージユニットは、前記対応を記憶するように構成される
ことを特徴とする請求項１１に記載のデバイス。
【請求項１４】
前記処理ユニットは、前記キー情報から前記呼称情報を抽出するために、前記第１の配信された情報から抽出された前記キー情報に対して意味解析を実行するようにさらに構成され、
前記第１の配信された情報内の前記呼称情報に従って、前記第１の配信された情報内の前記呼称情報が前記受信端末に対応する前記ユーザ名に対応するかどうかを検出するように構成され、
前記第１の配信された情報内の前記呼称情報が前記受信端末に対応する前記ユーザ名に対応するときに、前記第１の配信された情報および前記受信端末に対応する前記ユーザ名を束縛するように構成される
ことを特徴とする請求項１３に記載のデバイス。
【請求項１５】
前記第１の配信された情報が前記受信端末に対応する前記ユーザ名と成功して照合するときに、前記通信ユニットは、第２の配信された情報を受信し、前記第２の配信された情報からキー情報を抽出するようにさらに構成され、前記第２の配信された情報は、前記第１の配信された情報が受信された後に受信された配信された情報であり、
前記処理ユニットは、前記第１の配信された情報内の前記名前情報または前記呼称情報と前記第２の配信された情報内の前記キー情報とを使用することによって、前記第２の配信された情報および前記第１の配信された情報に対して意味相関分析を実行するようにさらに構成され、
前記第２の配信された情報が前記第１の配信された情報と成功して意味的に相関されるときに、前記受信端末に対応する前記ユーザ名および前記第２の配信された情報を束縛し、リマインダメッセージを表示するように構成される
ことを特徴とする請求項１２または１４に記載のデバイス。
【請求項１６】
プログラムが記録されたコンピュータ読み取り可能な記録媒体であって、前記プログラムは実行されたときにコンピュータに、
受信端末によって、第１の配信された情報を受信するステップであって、前記第１の配信された情報は音声の配信された情報を含むステップと、
前記受信端末によって、前記第１の配信された情報からキー情報を抽出し、前記第１の配信された情報内の前記キー情報と前記受信端末に対応するユーザ名とを照合するステップと、
前記受信端末によって、お互いに成功して照合する前記受信端末に対応する前記ユーザ名および前記第１の配信された情報を束縛するステップと、
前記受信端末によって、前記受信端末に対応する前記ユーザ名に従って生成されたリマインダメッセージを表示するステップを実行させ、前記第１の配信された情報に前記ユーザ名があるときにリマインドする
ことを可能とするプログラムであることを特徴とするコンピュータ読み取り可能な記録媒体。
【請求項１７】
プログラムが記録されたコンピュータ読み取り可能な記録媒体であって、前記プログラムは実行されたときにコンピュータに、
送信端末によって、第１の入力情報を受信するステップであって、前記第１の入力情報は音声入力情報を含むステップと、
前記送信端末によって、前記第１の入力情報からキー情報を抽出し、前記第１の入力情報内の前記キー情報と通信リスト内のユーザ名とを照合するステップと、
前記送信端末によって、ターゲットユーザ名を判定するステップであって、前記ターゲットユーザ名は、前記第１の入力情報内の前記キー情報と成功して照合するユーザ名である、判定するステップと、
受信端末が、前記ターゲットユーザ名に従って生成されたリマインダメッセージを表示するようにするために、前記送信端末によって、前記第１の入力情報および前記ターゲットユーザ名を束縛し、束縛された前記第１の入力情報および前記ターゲットユーザ名を前記受信端末に送信するステップを実行させ、前記第１の入力情報に前記ユーザ名があるときにリマインドする
ことを可能とするプログラムであることを特徴とするコンピュータ読み取り可能な記録媒体。
【発明の詳細な説明】
【技術分野】
【０００１】
本発明は、電子情報技術の分野に関し、具体的には、メッセージ表示方法、メッセージ表示装置、およびメッセージ表示デバイスに関する。
【背景技術】
【０００２】
通信ネットワーク技術の開発に伴って、オンラインメッセージ伝送をサポートする、ＱＱ、ＷｅＣｈａｔ、およびＭｉＴａｌｋなどの多数のＩＭ（Ｉｎｓｔａｎｔ  Ｍｅｓｓａｇｉｎｇ、インスタントメッセージング）アプリケーションが、絶えず現れる。ほとんどのＩＭアプリケーションのすべてが、オンラインテキストチャットおよびオンライン音声チャットなどの機能をサポートする。オンラインテキストチャットおよびオンライン音声チャットに関して、端末ユーザの間の１対１チャットが実施され得、あるいは、グループ内の複数の端末ユーザの間のチャットが実施され得る。
【０００３】
従来技術では、グループチャット内の複数の端末ユーザがオンラインのときに、各端末ユーザは、その端末ユーザによって送信された情報を入手し得るだけではなく、グループ内の別の端末ユーザによって送信された情報をも入手し得る。
【０００４】
しかし、グループ内に相対的に多数の人がいるときには、通常、大量の未読情報が存在する。端末ユーザに関係する情報を入手するつもりであるときに、端末ユーザは、大量の未読情報を順次読み取らない限り、端末ユーザに関係する情報を入手することができない。端末ユーザは、端末ユーザに関係する情報が見つけられるまで、大量の未読情報内の未読情報を順次読み取り、これは、ユーザに大量の時間を費やさせる。その結果、ユーザが、大量の未読情報からユーザに関係する情報を素早く入手することは、難しい。
【発明の概要】
【発明が解決しようとする課題】
【０００５】
本発明の実施形態は、ユーザがリマインダメッセージに従って大量の未読情報からそのユーザに関係する情報を素早く入手することを可能にし、端末ユーザに関係する情報を大量の未読情報から検索するために端末ユーザによって費やされる時間を減らすために、メッセージ表示方法、メッセージ表示装置、およびメッセージ表示デバイスを提供する。
【課題を解決するための手段】
【０００６】
前述の目的を達成するために、以下の技術的解決策が、本発明の実施形態において使用される。
【０００７】
第１の態様によれば、本発明の実施形態は、
送信端末によって、第１の入力情報を受信するステップと、
送信端末によって、第１の入力情報からキー情報を抽出し、第１の入力情報内のキー情報と通信リスト内のユーザ名とを照合するステップと、
送信端末によって、ターゲットユーザ名を判定するステップであって、ターゲットユーザ名は、第１の入力情報内のキー情報と成功して照合するユーザ名である、判定するステップと、
受信端末が、ターゲットユーザ名に従ってリマインダメッセージを表示するようにするために、送信端末によって、第１の入力情報およびターゲットユーザ名を束縛し、束縛された第１の入力情報およびターゲットユーザ名を受信端末に送信するステップであって、リマインダメッセージは、ターゲットユーザ名またはターゲットユーザ名に対応する識別情報を含む、束縛し送信するステップと
を含むメッセージ表示方法を提供する。
【０００８】
第１の態様に関連して、第１の可能な実施の形では、キー情報は、名前情報または呼称情報を含む。
【０００９】
第１の態様の第１の可能な実施の形に関連して、第２の可能な実施の形では、送信端末によって、第１の入力情報からキー情報を抽出し、第１の入力情報内のキー情報と通信リスト内のユーザ名とを照合するステップは、
キー情報から名前情報を抽出するために、送信端末によって、第１の入力情報から抽出されたキー情報に対して意味解析を実行するステップと、
送信端末によって、名前情報が通信リスト内のユーザ名と一致するかどうかを検出するステップと、
を含み、送信端末によって、ターゲットユーザ名を判定するステップは、
送信端末によって、名前情報と一致する通信リスト内のユーザ名をターゲットユーザ名として判定するステップ
を含む。
【００１０】
第１の態様の第１の可能な実施の形に関連して、第３の可能な実施の形では、この方法は、送信端末によって、第１の入力情報を受信するステップの前に、
送信端末によって、ヒストリカル入力情報内の呼称情報およびヒストリカル入力情報に対応するユーザ名を入手するステップと、
送信端末によって、ヒストリカル入力情報内の呼称情報およびヒストリカル入力情報に対応するユーザ名に従って、ヒストリカル入力情報内の呼称情報とユーザ名との間の対応を確立するステップと、
送信端末によって、対応を記憶するステップと
を含む。
【００１１】
第１の態様の第３の可能な実施の形に関連して、第４の可能な実施の形では、対応は、通信リスト内に記憶され、
送信端末によって、第１の入力情報からキー情報を抽出し、第１の入力情報内のキー情報と通信リスト内のユーザ名とを照合するステップは、
キー情報から呼称情報を抽出するために、送信端末によって、第１の入力情報から抽出されたキー情報に対して意味解析を実行するステップと、
送信端末によって、第１の入力情報内の呼称情報に従って、第１の入力情報内の呼称情報に対応するユーザ名が通信リスト内に存在するかどうかを検出するステップと
を含み、送信端末によって、ターゲットユーザ名を判定するステップは、
送信端末によって、第１の入力情報内の呼称情報に対応するユーザ名をターゲットユーザ名として判定するステップ
を含む。
【００１２】
第１の態様の第２または第４の可能な実施の形に関連して、第５の可能な実施の形では、送信端末によって、第１の入力情報を受信するステップの後に、この方法は、
送信端末によって、第２の入力情報を受信し、第２の入力情報からキー情報を抽出するステップと、
送信端末によって、第１の入力情報内の名前情報または呼称情報および第２の入力情報内のキー情報を使用することによって、第２の入力情報および第１の入力情報に対して意味相関分析を実行するステップと、
第２の入力情報が第１の入力情報に成功して意味的に相関されるときに、送信端末によって、第２の入力情報内のキー情報がターゲットユーザ名と成功して照合すると判定するステップと、
受信端末が、ターゲットユーザ名に従ってリマインダメッセージを表示するようにするために、送信端末によって、第２の入力情報およびターゲットユーザ名を束縛し、受信端末に、束縛された第２の入力情報およびターゲットユーザ名を送信するステップと
をさらに含む。
【００１３】
第２の態様によれば、本発明の実施形態は、受信端末に適用されるメッセージ表示方法であって、
受信端末によって、第１の配信された情報を受信するステップと、
受信端末によって、第１の配信された情報からキー情報を抽出し、第１の配信された情報内のキー情報と受信端末に対応するユーザ名とを照合するステップと、
受信端末によって、お互いに成功して照合する受信端末に対応するユーザ名および第１の配信された情報を束縛するステップと、
受信端末によって、受信端末に対応するユーザ名に従ってリマインダメッセージを表示するステップであって、リマインダメッセージは、受信端末に対応するユーザ名または受信端末に対応するユーザ名に対応する識別情報を含む、表示するステップと
を含む方法を提供する。
【００１４】
第２の態様に関連して、第１の可能な実施の形では、キー情報は、名前情報または呼称情報を含む。
【００１５】
第２の態様の第１の可能な実施の形に関連して、第２の可能な実施の形では、受信端末によって、第１の配信された情報からキー情報を抽出し、第１の配信された情報内のキー情報と受信端末に対応するユーザ名とを照合するステップは、
キー情報から名前情報を抽出するために、受信端末によって、第１の配信された情報から抽出されたキー情報に対して意味解析を実行するステップと、
受信端末によって、名前情報が受信端末に対応するユーザ名と一致するかどうかを検出するステップと
を含み、受信端末によって、お互いに成功して照合する受信端末に対応するユーザ名および第１の配信された情報を束縛するステップは、
第１の配信された情報内の名前情報が受信端末に対応するユーザ名と一致するときに、受信端末によって、第１の配信された情報および受信端末に対応するユーザ名を束縛するステップ
を含む。
【００１６】
第２の態様の第１の可能な実施の形に関連して、第３の可能な実施の形では、受信端末によって、第１の配信された情報を受信するステップの前に、この方法は、
受信端末によって、受信端末に送信されたヒストリカル配信された情報内の呼称情報を入手するステップと、
受信端末によって、ヒストリカル配信された情報内の呼称情報に従って、ヒストリカル配信された情報内の呼称情報と受信端末に対応するユーザ名との間の対応を確立するステップと、
受信端末によって、対応を記憶するステップと
を含む。
【００１７】
第２の態様の第３の可能な実施の形に関連して、第４の可能な実施の形では、受信端末によって、第１の配信された情報からキー情報を抽出し、第１の配信された情報内のキー情報と受信端末に対応するユーザ名とを照合するステップは、
キー情報から呼称情報を抽出するために、受信端末によって、第１の配信された情報から抽出されたキー情報に対して意味解析を実行するステップと、
受信端末によって、第１の配信された情報内の呼称情報に従って、第１の配信された情報内の呼称情報が受信端末に対応するユーザ名に対応するかどうかを検出するステップと
を含み、受信端末によって、お互いに成功して照合する受信端末に対応するユーザ名および第１の配信された情報を束縛するステップは、
第１の配信された情報内の呼称情報が受信端末に対応するユーザ名に対応するときに、受信端末によって、第１の配信された情報および受信端末に対応するユーザ名を束縛するステップ
を含む。
【００１８】
第２の態様の第２または第４の可能な実施の形に関連して、第５の可能な実施の形では、第１の配信された情報が受信端末に対応するユーザ名と成功して照合するときに、受信端末によって、第１の配信された情報を受信するステップの後に、この方法は、
受信端末によって、第２の配信された情報を受信し、第２の配信された情報からキー情報を抽出するステップと、
受信端末によって、第１の配信された情報内の名前情報または呼称情報と第２の配信された情報内のキー情報とを使用することによって、第２の配信された情報および第１の配信された情報に対して意味相関分析を実行するステップと、
第２の配信された情報が第１の配信された情報と成功して意味的に相関されるときに、受信端末によって、受信端末に対応するユーザ名および第２の配信された情報を束縛し、リマインダメッセージを表示するステップと
をさらに含む。
【００１９】
第３の態様によれば、本発明の実施形態は、
第１の入力情報を受信するように構成された第１の受信モジュールと、
第１の入力情報からキー情報を抽出し、第１の入力情報内のキー情報と通信リスト内のユーザ名との間で照合するように構成された第１の照合モジュールと、
ターゲットユーザ名を判定するように構成された第１の判定モジュールであって、ターゲットユーザ名は、第１の入力情報内のキー情報と成功して照合するユーザ名である、第１の判定モジュールと、
受信端末が、ターゲットユーザ名に従ってリマインダメッセージを表示するようにするために、第１の入力情報およびターゲットユーザ名を束縛し、束縛された第１の入力情報およびターゲットユーザ名を受信端末に送信するように構成された第１の送信モジュールであって、リマインダメッセージは、ターゲットユーザ名またはターゲットユーザ名に対応する識別情報を含む、第１の送信モジュールと
を含むメッセージ表示装置を提供する。
【００２０】
第２の態様に関連して、第１の可能な実施の形では、キー情報は、名前情報または呼称情報を含む。
【００２１】
第３の態様の第１の可能な実施の形に関連して、第２の可能な実施の形では、第１の照合モジュールは、
キー情報から名前情報を抽出するために、第１の入力情報から抽出されたキー情報に対して意味解析を実行するように構成された第１の抽出ユニットと、
名前情報が通信リスト内のユーザ名と一致するかどうかを検出するように構成された第１の検出ユニットと
を含み、第１の判定モジュールは、
名前情報と一致する通信リスト内のユーザ名をターゲットユーザ名として判定するように構成された第１の判定ユニット
を含む。
【００２２】
第３の態様の第１の可能な実施の形に関連して、第３の可能な実施の形では、この装置は、
ヒストリカル入力情報内の呼称情報およびヒストリカル入力情報に対応するユーザ名を入手するように構成された第１の入手モジュールと、
ヒストリカル入力情報内の呼称情報およびヒストリカル入力情報に対応するユーザ名に従って、ヒストリカル入力情報内の呼称情報とユーザ名との間の対応を確立するように構成された第１の確立モジュールと
対応を記憶するように構成された第１の記憶モジュールと
をさらに含む。
【００２３】
第３の態様の第３の可能な実施の形に関連して、第４の可能な実施の形では、対応は、通信リスト内に記憶され、
第１の照合モジュールは、
キー情報から呼称情報を抽出するために、第１の入力情報から抽出されたキー情報に対して意味解析を実行するように構成された第２の抽出ユニットと、
第１の入力情報内の呼称情報に従って、第１の入力情報内の呼称情報に対応するユーザ名が通信リスト内に存在するかどうかを検出するように構成された第２の検出ユニットと
を含み、第１の判定モジュールは、
第１の入力情報内の呼称情報に対応するユーザ名をターゲットユーザ名として判定するように構成された第２の判定ユニット
を含む。
【００２４】
第３の態様の第２または第４の可能な実施の形に関連して、第５の可能な実施の形では、この装置は、
第２の入力情報を受信するように構成された第２の受信モジュールであって、第２の入力情報は、第１の入力情報が受信された後に受信された入力情報である、受信モジュールと、
第１の入力情報内の名前情報または呼称情報および第２の入力情報内のキー情報を使用することによって、第２の入力情報および第１の入力情報に対して意味相関分析を実行するように構成された第１の相関モジュールと、
第２の入力情報が第１の入力情報に成功して意味的に相関されるときに、第２の入力情報内のキー情報がターゲットユーザ名と成功して照合すると判定するように構成された第２の判定モジュールと、
受信端末が、ターゲットユーザ名に従ってリマインダメッセージを表示するようにするために、第２の入力情報およびターゲットユーザ名を束縛し、受信端末に、束縛された第２の入力情報およびターゲットユーザ名を送信するように構成された第２の送信モジュールと
をさらに含む。
【００２５】
第４の態様によれば、本発明の実施形態は、
第１の配信された情報を受信するように構成された第３の受信モジュールと、
第１の配信された情報からキー情報を抽出し、第１の配信された情報内のキー情報と受信端末に対応するユーザ名との間で照合するように構成された第２の照合モジュールと、
お互いに成功して照合する受信端末に対応するユーザ名および第１の配信された情報を束縛するように構成された第１の束縛モジュールと、
受信端末に対応するユーザ名に従ってリマインダメッセージを表示するように構成された表示モジュールであって、リマインダメッセージは、受信端末に対応するユーザ名または受信端末に対応するユーザ名に対応する識別情報を含む、表示モジュールと
を含むメッセージ表示装置を提供する。
【００２６】
第４の態様に関連して、第１の可能な実施の形では、キー情報は、名前情報または呼称情報を含む。
【００２７】
第４の態様の第１の可能な実施の形に関連して、第２の可能な実施の形では、第２の照合モジュールは、
キー情報から名前情報を抽出するために、第１の配信された情報から抽出されたキー情報に対して意味解析を実行するように構成された第３の抽出ユニットと、
名前情報が受信端末に対応するユーザ名と一致するかどうかを検出するように構成された第３の検出ユニットと
を含み、第１の束縛モジュールは、
第１の配信された情報内の名前情報が受信端末に対応するユーザ名と一致するときに、第１の配信された情報および受信端末に対応するユーザ名を束縛するように構成された第１の束縛ユニット
を含む。
【００２８】
第４の態様の第１の可能な実施の形に関連して、第３の可能な実施の形では、この装置は、
受信端末に送信されたヒストリカル配信された情報内の呼称情報を入手するように構成された第２の入手モジュールと、
ヒストリカル配信された情報内の呼称情報に従って、ヒストリカル配信された情報内の呼称情報と受信端末に対応するユーザ名との間の対応を確立するように構成された第２の確立モジュールと、
対応を記憶するように構成された第２の記憶モジュールと
をさらに含む。
【００２９】
第４の態様の第３の可能な実施の形に関連して、第４の可能な実施の形では、第２の照合モジュールは、
キー情報から呼称情報を抽出するために、第１の配信された情報から抽出されたキー情報に対して意味解析を実行するように構成された第４の抽出ユニットと、
第１の配信された情報内の呼称情報に従って、第１の配信された情報内の呼称情報が受信端末に対応するユーザ名に対応するかどうかを検出するように構成された第４の検出ユニットと
を含み、第１の束縛モジュールは、
第１の配信された情報内の呼称情報が受信端末に対応するユーザ名に対応するときに、第１の配信された情報および受信端末に対応するユーザ名を束縛するように構成された第２の束縛ユニット
を含む。
【００３０】
第４の態様の第２または第４の可能な実施の形に関連して、第５の可能な実施の形では、第１の配信された情報が受信端末に対応するユーザ名と成功して照合するときに、この装置は、
第２の配信された情報を受信し、第２の配信された情報からキー情報を抽出するように構成された第４の受信モジュールであって、第２の配信された情報は、第１の配信された情報が受信された後に受信された配信された情報である、第４の受信モジュールと、
第１の配信された情報内の名前情報または呼称情報と第２の配信された情報内のキー情報とを使用することによって、第２の配信された情報および第１の配信された情報に対して意味相関分析を実行するように構成された第２の相関モジュールと、
第２の配信された情報が第１の配信された情報と成功して意味的に相関されるときに、受信端末に対応するユーザ名および第２の配信された情報を束縛し、リマインダメッセージを表示するように構成された第２の束縛モジュールと
をさらに含む。
【００３１】
第５の態様によれば、本発明の実施形態は、メッセージ表示デバイスであって、デバイスは、少なくとも入力ユニット、処理ユニット、および通信ユニットを含み、
入力ユニットは、第１の入力情報を受信するように構成され、
処理ユニットは、第１の入力情報からキー情報を抽出し、第１の入力情報内のキー情報と通信リスト内のユーザ名との間で照合するように構成され、
ターゲットユーザ名を判定するように構成され、ターゲットユーザ名は、第１の入力情報内のキー情報と成功して照合するユーザ名であり、
通信ユニットは、受信端末が、ターゲットユーザ名に従ってリマインダメッセージを表示するようにするために、第１の入力情報およびターゲットユーザ名を束縛し、束縛された第１の入力情報およびターゲットユーザ名を受信端末に送信するように構成され、リマインダメッセージは、ターゲットユーザ名またはターゲットユーザ名に対応する識別情報を含む
メッセージ表示デバイスを提供する。
【００３２】
第５の態様に関連して、第１の可能な実施の形では、キー情報は、名前情報または呼称情報を含む。
【００３３】
第５の態様の第１の可能な実施の形に関連して、第２の可能な実施の形では、処理ユニットは、キー情報から名前情報を抽出するために、第１の入力情報から抽出されたキー情報に対して意味解析を実行するようにさらに構成され、
名前情報が通信リスト内のユーザ名と一致するかどうかを検出するように構成され、
名前情報と一致する通信リスト内のユーザ名をターゲットユーザ名として判定するように構成される。
【００３４】
第５の態様の第１の可能な実施の形に関連して、第３の可能な実施の形では、デバイスは、ストレージユニットをさらに含み、処理ユニットは、ヒストリカル入力情報内の呼称情報およびヒストリカル入力情報に対応するユーザ名を入手するようにさらに構成され、
ヒストリカル入力情報内の呼称情報およびヒストリカル入力情報に対応するユーザ名に従って、ヒストリカル入力情報内の呼称情報とユーザ名との間の対応を確立するように構成され、
ストレージユニットは、対応を記憶するように構成される。
【００３５】
第５の態様の第３の可能な実施の形に関連して、第４の可能な実施の形では、対応は、通信リスト内に記憶され、
処理ユニットは、キー情報から呼称情報を抽出するために、第１の入力情報から抽出されたキー情報に対して意味解析を実行するようにさらに構成され、
第１の入力情報内の呼称情報に従って、第１の入力情報内の呼称情報に対応するユーザ名が通信リスト内に存在するかどうかを検出するように構成され、
第１の入力情報内の呼称情報に対応するユーザ名をターゲットユーザ名として判定するように構成される。
【００３６】
第５の態様の第２または第４の可能な実施の形に関連して、第５の可能な実施の形では、入力ユニットは、第２の入力情報を受信し、第２の入力情報からキー情報を抽出するように構成され、第２の入力情報は、第１の入力情報が受信された後に受信された入力情報であり、
処理ユニットは、第１の入力情報内の名前情報または呼称情報および第２の入力情報内のキー情報を使用することによって、第２の入力情報および第１の入力情報に対して意味相関分析を実行するようにさらに構成され、
第２の入力情報が第１の入力情報に成功して意味的に相関されるときに、第２の入力情報内のキー情報がターゲットユーザ名と成功して照合すると判定するように構成され、
通信ユニットは、受信端末が、ターゲットユーザ名に従ってリマインダメッセージを表示するようにするために、第２の入力情報およびターゲットユーザ名を束縛し、受信端末に、束縛された第２の入力情報およびターゲットユーザ名を送信するように構成される。
【００３７】
第６の態様によれば、本発明の実施形態は、メッセージ表示デバイスであって、デバイスは、少なくとも処理ユニットと通信ユニットとを含み、
通信ユニットは、第１の配信された情報を受信するように構成され、
処理ユニットは、第１の配信された情報からキー情報を抽出し、第１の配信された情報内のキー情報と受信端末に対応するユーザ名との間で照合するように構成され、
お互いに成功して照合する受信端末に対応するユーザ名および第１の配信された情報を束縛するように構成され、
受信端末に対応するユーザ名に従ってリマインダメッセージを表示するように構成され、リマインダメッセージは、受信端末に対応するユーザ名または受信端末に対応するユーザ名に対応する識別情報を含む
メッセージ表示デバイスを提供する。
【００３８】
第６の態様に関連して、第１の可能な実施の形では、キー情報は、名前情報または呼称情報を含む。
【００３９】
第６の態様の第１の可能な実施の形に関連して、第２の可能な実施の形では、処理ユニットは、キー情報から名前情報を抽出するために、第１の配信された情報から抽出されたキー情報に対して意味解析を実行するようにさらに構成され、
名前情報が受信端末に対応するユーザ名と一致するかどうかを検出するように構成され、
第１の配信された情報内の名前情報が受信端末に対応するユーザ名と一致するときに、第１の配信された情報および受信端末に対応するユーザ名を束縛するように構成される。
【００４０】
第６の態様の第１の可能な実施の形に関連して、第３の可能な実施の形では、このデバイスは、ストレージユニットをさらに含み、処理ユニットは、受信端末に送信されたヒストリカル配信された情報内の呼称情報を入手するようにさらに構成され、
ヒストリカル配信された情報内の呼称情報に従って、ヒストリカル配信された情報内の呼称情報と受信端末に対応するユーザ名との間の対応を確立するように構成され、
ストレージユニットは、対応を記憶するように構成される。
【００４１】
第６の態様の第３の可能な実施の形に関連して、第４の可能な実施の形では、処理ユニットは、キー情報から呼称情報を抽出するために、第１の入力情報から抽出されたキー情報に対して意味解析を実行するようにさらに構成され、
第１の配信された情報内の呼称情報に従って、第１の配信された情報内の呼称情報が受信端末に対応するユーザ名に対応するかどうかを検出するように構成され、
第１の配信された情報内の呼称情報が受信端末に対応するユーザ名に対応するときに、第１の配信された情報および受信端末に対応するユーザ名を束縛するように構成される。
【００４２】
第６の態様の第２または第４の可能な実施の形に関連して、第５の可能な実施の形では、第１の配信された情報が受信端末に対応するユーザ名と成功して照合するときに、通信ユニットは、第２の配信された情報を受信し、第２の配信された情報からキー情報を抽出するようにさらに構成され、第２の配信された情報は、第１の配信された情報が受信された後に受信された配信された情報であり、
処理ユニットは、第１の配信された情報内の名前情報または呼称情報と第２の配信された情報内のキー情報とを使用することによって、第２の配信された情報および第１の配信された情報に対して意味相関分析を実行するようにさらに構成され、
第２の配信された情報が第１の配信された情報と成功して意味的に相関されるときに、受信端末に対応するユーザ名および第２の配信された情報を束縛し、リマインダメッセージを表示するように構成される。
【発明の効果】
【００４３】
本発明の実施形態で提供されるメッセージ表示方法、メッセージ表示装置、およびメッセージ表示デバイスによって、入力情報内のキー情報は、抽出され得、キー情報は、通信リスト内のユーザ名と照合され、入力情報および入力情報内のキー情報と成功して照合されたユーザ名は、束縛され、束縛された成功して照合されたユーザ名および入力情報は、受信端末に送信され、その結果、受信端末は、成功して照合されたユーザ名に従ってリマインダメッセージを表示する。ユーザに関係する入力情報を検索するために、未読情報がグループ内の大量の未読情報から順次読み取られる必要がある従来技術と比較して、本発明では、入力情報内のキー情報が抽出され、キー情報が通信リスト内のユーザ名と照合され、入力情報および入力情報内のキー情報と成功して照合されたユーザ名が束縛され、受信端末に送信される。成功して照合されたユーザ名に束縛された入力情報を受信した後に、入力情報を表示している間に、受信端末は、入力情報が成功して照合されたユーザ名に関係することを示すリマインダメッセージをも表示する、すなわち、大量の未読情報は、未読情報に関係するユーザを思い出させるリマインダメッセージを担持する。リマインダメッセージによって思い出さされて、ユーザは、大量の未読情報からユーザに関係する入力情報を素早く入手することができ、これによって、大量の未読情報からユーザに関係する入力情報を検索するためにユーザによって費やされる時間を大幅に減らす。
【００４４】
本発明の実施形態でさらに提供されるメッセージ表示方法、メッセージ表示装置、およびメッセージ表示デバイスによって、配信された情報内のキー情報は、抽出され得、キー情報は、受信端末に対応するユーザ名と照合され、受信端末に対応するユーザ名に成功して照合する配信された情報は、受信端末に対応するユーザ名に束縛され、受信端末は、リマインダメッセージを表示する。ユーザに関係する配信された情報を検索するために、未読情報がグループ内の大量の未読情報から順次読み取られる必要がある従来技術と比較して、本発明では、配信された情報内のキー情報が抽出され、キー情報は、受信端末に対応するユーザ名と照合され、受信端末に対応するユーザ名に成功して照合する配信された情報は、受信端末に対応するユーザ名に束縛され、受信端末は、配信された情報を表示している間にリマインダメッセージをも表示する、すなわち、受信端末上で表示される大量の未読情報は、未読情報に関係するユーザを思い出させるリマインダメッセージを担持する。ユーザは、リマインダメッセージに従って、大量の未読情報からユーザに関係する配信された情報を素早く入手することができ、大量の未読情報からユーザに関係する配信された情報を検索するためにユーザによって費やされる時間を大幅に減らす。
【図面の簡単な説明】
【００４５】
本発明の実施形態の技術的解決策をより明瞭に説明するために、以下は、実施形態を説明するのに必要な添付図面を短く説明する。明らかに、以下の説明の添付図面は、単に、本発明のいくつかの実施形態を示し、当業者は、それでも、創作的労力を伴わずにこれらの添付図面から他の図面を導出することができる。
【図１】本発明の実施形態によるメッセージ表示方法を示す流れ図である。
【図１ａ】本発明の実施形態によるリマインダメッセージを表示するインターフェースの例を示す概略図である。
【図１ｂ】本発明の実施形態によるリマインダメッセージを表示する別のインターフェースの例を示す概略図である。
【図２】本発明の実施形態によるメッセージ表示方法の実施の形を示す流れ図である。
【図３】本発明の実施形態によるメッセージ表示方法の別の実施の形を示す流れ図である。
【図４】本発明の実施形態によるメッセージ表示方法のさらに別の実施の形を示す流れ図である。
【図５】本発明の実施形態による別のメッセージ表示方法を示す流れ図である。
【図６】本発明の実施形態による別のメッセージ表示方法の実施の形を示す流れ図である。
【図７】本発明の実施形態による別のメッセージ表示方法の別の実施の形を示す流れ図である。
【図８】本発明の実施形態による別のメッセージ表示方法のさらに別の実施の形を示す流れ図である。
【図９】本発明の実施形態によるメッセージ表示装置を示す概略構造図である。
【図１０】本発明の実施形態によるメッセージ表示装置の実施の形を示す概略構造図である。
【図１１】本発明の実施形態によるメッセージ表示装置の別の実施の形を示す概略構造図である。
【図１２】本発明の実施形態によるメッセージ表示装置のさらに別の実施の形を示す概略構造図である。
【図１３】本発明の実施形態による別のメッセージ表示装置を示す概略構造図である。
【図１４】本発明の実施形態による別のメッセージ表示装置の実施の形を示す概略構造図である。
【図１５】本発明の実施形態による別のメッセージ表示装置の別の実施の形を示す概略構造図である。
【図１６】本発明の実施形態による別のメッセージ表示装置のさらに別の実施の形を示す概略構造図である。
【図１７】本発明の実施形態によるメッセージ表示デバイスを示す概略構造図である。
【図１８】本発明の実施形態による別のメッセージ表示デバイスを示す概略構造図である。
【発明を実施するための形態】
【００４６】
以下は、本発明の実施形態における添付図面に関連して本発明の実施形態の技術的解決策を明瞭に完全に説明する。明らかに、説明される実施形態は、本発明の実施形態のすべてではなく単に一部である。創作的労力を伴わずに本発明の実施形態に基づいて当業者によって入手されるすべての他の実施形態は、本発明の保護範囲に含まれなければならない。
【００４７】
下で説明されるいくつかの手順が、特定の順序で実行される複数の動作を含むことに留意されたい。しかし、これらの動作が、これらの動作が本明細書で実行される順序で実行されなくてもよく、あるいは、同時に実行され得ることが、明らかに習得されなければならない。１０１および１０２などの動作のシーケンス番号は、単に、異なる動作を区別するのに使用され、シーケンス番号は、いかなる実行順序も表現しない。加えて、これらの手順は、より多数またはより少数の動作を含むことがあり、これらの動作は、任意の順序で実行され得、あるいは同時に実行され得る。
【００４８】
本明細書での「第１」、「第２」、および類似物の記述は、異なる情報、デバイス、モジュール、および類似物を区別するのに使用され、シーケンスを示さず、「第１」および「第２」が異なるタイプであることを限定しない。本明細書での「〜とき」は、条件および状態が満足されることを表現し、「〜場合」、「条件が満足された後」、または「判定が成功する」などの意味を含む。「メッセージ」は、いくつかの情報を担持する担体であり、シグナリング、通信信号、およびデータメッセージなどの複数の形態を含む。
【００４９】
本発明の実施形態で提供される技術的解決策は、主に、インスタントメッセージングアプリケーション内のグループチャットシナリオに適用される。グループチャットシナリオでは、グループ内の各端末は、入力情報を送信するための送信端末として使用され得、あるいは、サーバによって送信された入力情報を受信するための受信端末として使用され得る。加えて、グループ内の端末が入力情報を送信するときには、グループ内の他のすべての端末は、その入力情報を受信することができる。送信端末は、ユーザによって入力された入力情報を受信し、その入力情報をサーバに送信し得る。その後、サーバは、入力情報を受信端末に送信する。
【００５０】
入力情報は、受信され、照合が、入力情報と成功して照合するユーザ名を入手するために入力情報とアプリケーション通信リスト内のユーザ名との間で実行され、成功して照合されたユーザ名および入力情報が、束縛され、グループ内の受信端末に送信される。前述の手順は、送信端末によって完了され得、あるいは、ネットワーク側でサーバによって完了され得る。送信端末および受信端末は、スマートフォン、タブレットコンピュータ、およびディスプレイ機能を有するウェアラブルデバイス、たとえばウェアラブル眼鏡およびウェアラブル腕時計などのユーザ機器を含むが、これに限定はされない。入力情報は、音声入力情報またはテキスト入力情報などの情報とされ得る。
【００５１】
本発明の一実施形態は、受信端末に適用されるメッセージ表示方法を提供し、ネットワーク側でサーバにさらに適用可能である。送信端末は、第１の入力情報を受信し、第１の入力情報からキー情報を抽出し、第１の入力情報内のキー情報を通信リスト内のユーザ名と照合し、ターゲットユーザ名を判定し、第１の入力情報およびターゲットユーザ名を束縛し、束縛された第１の入力情報およびターゲットユーザ名を受信端末に送信する。代替案では、ネットワーク側のサーバが、第１の入力情報を受信し、第１の入力情報からキー情報を抽出し、第１の入力情報内のキー情報と通信リスト内のユーザ名とを照合し、ターゲットユーザ名を判定し、第１の入力情報およびターゲットユーザ名を束縛し、束縛された第１の入力情報およびターゲットユーザ名を受信端末に送信する。図１に示されているように、この方法は、以下のステップを含む。
【００５２】
１０１  送信端末が、第１の入力情報を受信する。
【００５３】
送信端末またはネットワーク側のサーバは、第１の入力情報を受信する、すなわち、第１の入力情報は、ユーザによって入力され、あるいは送信端末によって送信される。送信端末によって受信される第１の入力情報は、ユーザによって送信端末に入力される。ネットワーク側のサーバによって受信される第１の入力情報は、送信端末によってネットワーク側のサーバに送信される。第１の入力情報は、音声入力情報とされ得、あるいはテキスト入力情報とされ得る。
【００５４】
１０２  送信端末が、第１の入力情報からキー情報を抽出し、第１の入力情報内のキー情報と通信リスト内のユーザ名とを照合する。
【００５５】
通信リストは、インスタントメッセージングアプリケーション内の通信リストすなわち、連絡先リスト、友人リスト、または類似物である。たとえば、ユーザがＱＱを使用するときに、対応する通信リストは、ＱＱ友人リストであり、ユーザがＷｅＣｈａｔを使用するときに、対応する通信リストは、ＷｅＣｈａｔの連絡先リストである。通信リストは、インスタントメッセージングアプリケーションの通信リスト内のユーザ名を含む。送信端末が、ユーザによって入力された入力情報を受信するときに、送信端末は、入力情報からキー情報を抽出する。具体的には、送信端末は、第１の入力情報が分割された後に生成されるキーワードすなわちキー情報を入手するために、第１の入力情報に対して単語分割を実行し、キー情報と、入力情報が存在するインスタントメッセージングアプリケーション内の通信リスト内のユーザ名とを照合する、すなわち、入力情報が通信リスト内のユーザ名に関係するかどうかを検出する。代替案では、送信端末は、ユーザによって入力された入力情報を受信し、入力情報をネットワーク側のサーバに送信する。ネットワーク側のサーバは、入力情報が分割された後に生成されるキーワードすなわちキー情報を入手するために、入力情報に対して単語分割を実行し、キー情報と、入力情報が存在するインスタントメッセージングアプリケーション内の通信リスト内のユーザ名とを照合する、すなわち、入力情報が通信リスト内のユーザ名に関係するかどうかを検出する。たとえば、通信リストは、ＱＱ友人リストであり、入力情報から抽出されたキー情報は、ＱＱ友人リスト内のユーザ名と照合される。
【００５６】
キー情報が、動詞、名詞、代名詞、および形容詞など、単語の１タイプまたは単語の複数のタイプのセットであることに留意されたい。たとえば、第１の入力情報が「Ｌｉ  Ｓｉ，  ｈａｎｄ  ｏｖｅｒ  ｔｈｅ  ｂｕｓｉｎｅｓｓ  ｐｒｏｐｏｓａｌ  ｔｏ  ｍｅ  ｔｏｍｏｒｒｏｗ（リ＝シ、明日ビジネス提案書を私に引き渡したまえ）」であり、単語分割が第１の入力情報に対して実行されて、「Ｌｉ  Ｓｉ」、「ｔｏｍｏｒｒｏｗ」、「ｂｕｓｉｎｅｓｓ  ｐｒｏｐｏｓａｌ」、および「ｍｅ」などのキー情報を入手し、照合が、キー情報と通信リスト内のユーザ名との間で順次実行される。
【００５７】
１０３  送信端末が、ターゲットユーザ名を判定する。
【００５８】
ターゲットユーザ名は、第１の入力情報内のキー情報と成功して照合するユーザ名である。キー情報およびアプリケーション通信リスト内のユーザ名の照合の特定の方法に従って、送信端末またはネットワーク側のサーバが、入力情報内のキー情報から名詞を抽出し、ユーザの識別子として名詞を使用し、名詞が通信リスト内のユーザ名と一致するかどうかを検出し、またはユーザの識別子として使用される名詞とユーザ名との間の対応を通信リスト内に記憶し、入力情報内のキー情報と成功して照合するユーザ名が存在するかどうか、すなわち、ターゲットユーザ名が存在するかどうかを判定するために、入力情報内のキー情報から抽出された名詞に対応するユーザ名が通信リスト内に存在するかどうかを検出し得ることに留意されたい。
【００５９】
１０４  受信端末が、ターゲットユーザ名に従ってリマインダメッセージを表示するようにするために、送信端末が、第１の入力情報およびターゲットユーザ名を束縛し、束縛された第１の入力情報およびターゲットユーザ名を受信端末に送信する。
【００６０】
受信端末は、グループ内の受信端末である。送信端末は、第１の入力情報を受信し、第１の入力情報およびターゲットユーザ名を束縛し、ネットワーク側のサーバを使用することによって受信端末に、束縛された第１の入力情報およびターゲットユーザ名を送信する。代替案では、ネットワーク側のサーバが、第１の入力情報を受信し、第１の入力情報およびターゲットユーザ名を束縛し、受信端末に、束縛された第１の入力情報およびターゲットユーザ名を送信する。第１の入力情報およびターゲットユーザ名が束縛され、その結果、ターゲットユーザ名が、第１の入力情報に添付されるようになり、第１の入力情報が転送されるときに、ターゲットユーザ名が、第１の入力情報と一緒に転送されることに留意されたい。
【００６１】
受信端末は、第１の入力情報を受信し、表示し、ターゲットユーザ名に従って、第１の入力情報を表示している間にリマインダメッセージを表示し、リマインダメッセージは、ターゲットユーザ名またはターゲットユーザ名に対応する識別情報を含む。具体的には、リマインダメッセージは、第１の入力情報に束縛されたターゲットユーザ名に従って受信端末によって生成され、リマインダメッセージは、表示された入力情報が、入力情報内のキー情報と成功して照合するユーザ名に関係することを思い出させるのに使用される。リマインダメッセージは、入力情報と成功して照合するユーザ名に対応する受信端末上でのみ表示され得る。たとえば、図１ａに示されているように、入力情報に束縛されたユーザ名に対応する受信端末上のワーキンググループのチャットインターフェース上で、「ｒｅｌａｔｅｄ  ｔｏ  ｍｅ（私に関係する）」という単語を有するリマインダメッセージが、受信端末に対応するユーザ名に関係する入力情報が表示される間に表示される。代替案では、リマインダメッセージは、グループ内の各受信端末上で表示され得、リマインダメッセージは、入力情報がユーザに関係することを示すのに使用される。たとえば、図１ｂに示されているように、ワーキンググループ内の端末のチャットインターフェース上で、各入力情報に関係するユーザ名が、受信された入力情報のそれぞれの後ろに表示され、「ｕｓｅｒ  Ｃ（ユーザＣ）」が、１番目の入力情報がユーザＣに関係することを示すために１番目の入力情報の後ろに表示され、「ｕｓｅｒ  Ａ（ユーザＡ）」が、３番目の入力情報がユーザＡに関係することを示すために３番目の入力情報の後ろに表示される。
【００６２】
テキストまたは別の識別子を使用することによって入力情報の周囲に表示されることに加えて、リマインダメッセージが、別の形態でさらに実施され得ることに留意されたい。入力情報がテキスト情報であるときに、「ｍｅ（私）」に関係する入力情報内の単語が、太字にされ得、あるいは単語サイズが増やされ、あるいは単語の色が変更される。入力情報が音声情報であるときに、「ｍｅ」に関係する入力情報の情報ボックスの形態が、変更され得、あるいは、「ｍｅ」に関係する入力情報の情報ボックスの背景色が、変更され得る。リマインダメッセージの形態は、本明細書内で限定されない。ユーザは、リマインダメッセージをブラウズし、その結果、ユーザに関係する入力情報が、素早く明確に入手され得るようになる。
【００６３】
受信端末が、「ｍｅ」に関係する入力情報の量についてユーザに思い出させるのに使用される量リマインダメッセージをさらに表示し得、たとえば、たとえば「ｔｈｅｒｅ  ａｒｅ  ｆｉｖｅ  ｐｉｅｃｅｓ  ｏｆ  ｉｎｆｏｒｍａｔｉｏｎ  ｒｅｌａｔｅｄ  ｔｏ  ｍｅ（私に関係する５つの入力情報がある）」という単語を表示し得ることに留意されたい。受信端末は、量リマインダメッセージに対するユーザのトリガする動作をさらに受信し、表示インターフェースを「ｍｅ」に関係する入力情報の位置にロックし得る。たとえば、表示インターフェースは、同時に６つの連続する情報を表示し得、グループ内に３０個の未読情報があり、４番目と８番目の情報が、「ｍｅ」に関係する。ユーザが量リマインダメッセージをトリガした後に、表示インターフェースは、グループ内の３番目から８番目までの情報を表示する。
【００６４】
加えて、ユーザによって入力された入力情報または送信端末によって送信された入力情報が受信されるときに、送信端末は、ユーザ名リストを表示し得、ユーザ命令ストは、通信リスト内のユーザ名を含むことに留意されたい。送信端末またはネットワーク側のサーバは、ユーザによって送信された選択命令に従って、ユーザ名リスト内のユーザ名を入力情報に束縛されたユーザ名として選択してもまたよい。たとえば、ユーザが入力情報を入力した後に、携帯電話機は、ユーザ名リストを表示し、ユーザ名リストは、３つのユーザ名「Ｚｈａｎｇ  Ｓａｎ」、「Ｌｉ  Ｓｉ」、および「Ｚｈａｏ  Ｗｕ」を含む。ユーザが「Ｚｈａｎｇ  Ｓａｎ」を選択する場合に、携帯電話機は、ユーザの選択命令に従って、入力情報に束縛されたユーザ名として「Ｚｈａｎｇ  Ｓａｎ」を使用する。後続プロセスでは、「Ｚｈａｎｇ  Ｓａｎ」および入力情報が束縛され、受信端末に送信される。
【００６５】
加えて、ユーザが入力情報を入力するときに、送信端末は、通信リスト内のユーザ名を手作業で入力するようにユーザに思い出させ、送信端末またはネットワーク側のサーバは、ユーザによって入力された通信リスト内のユーザ名をさらに受信し、ユーザによって入力された通信リスト内のユーザ名を入力情報に束縛されたユーザ名として使用し得る。たとえば、ユーザ名「Ｚｈａｎｇ  Ｓａｎ」が、通信リスト内に存在する。入力情報を入力した後に、ユーザは、ユーザ名「Ｚｈａｎｇ  Ｓａｎ」を直接に入力する。端末は、入力情報に束縛されたユーザ名としてユーザ名「Ｚｈａｎｇ  Ｓａｎ」を使用する。後続プロセスでは、「Ｚｈａｎｇ  Ｓａｎ」および入力情報が、束縛され、受信端末に送信される。
【００６６】
本発明のこの実施形態で提供されるメッセージ表示方法によって、入力情報内のキー情報が、抽出され得、キー情報は、通信リスト内のユーザ名と照合され、入力情報および入力情報内のキー情報と成功して照合するユーザ名が、束縛され、束縛された成功して照合するユーザ名および入力情報は、受信端末に送信され、その結果、受信端末は、成功して照合されたユーザ名に従ってリマインダメッセージを表示するようになる。ユーザに関係する入力情報を検索するために、未読情報がグループ内の大量の未読情報から順次読み取られる必要がある従来技術と比較して、本発明では、入力情報内のキー情報が抽出され、キー情報が通信リスト内のユーザ名と照合され、入力情報および入力情報内のキー情報と成功して照合するユーザ名が束縛され、受信端末に送信される。成功して照合されたユーザ名に束縛された入力情報を受信した後に、入力情報を表示している間に、受信端末は、入力情報が成功して照合されたユーザ名に関係することを示すリマインダメッセージをも表示する、すなわち、大量の未読情報は、未読情報に関係するユーザを思い出させるリマインダメッセージを担持する。ユーザは、リマインダメッセージによって思い出させられた関係するユーザに従って、大量の未読情報からユーザに関係する入力情報を素早く入手することができ、これによって、大量の未読情報からユーザに関係する入力情報を検索するのにユーザによって費やされる時間を大幅に減らす。
【００６７】
さらに、キー情報は、名前情報または呼称情報を含む。名前情報は、通常は人の名前であり、呼称情報は、通常は人の呼称または愛称である。この実施形態では、照合は、主に名前情報と通信リスト内のユーザ名との間で実行され、成功して照合されたユーザ名が入手される。図１に示された解決策に基づいて、本発明の実施形態は、図１に示された１０２および１０３を実行するプロセスをさらに詳細に示すために、メッセージ表示方法の特定の解決策をさらに提供する。１０２は、具体的には１０２１および１０２２として実施され得、１０３は、具体的には１０３１として実施され得る。図２に示されているように、特定の解決策は、以下を含む。
【００６８】
１０２１  キー情報から名前情報を抽出するために、送信端末が、第１の入力情報から抽出されたキー情報に対して意味解析を実行する。
【００６９】
入力情報から抽出されたキー情報は、キーワードの形態で抽出される。したがって、キー情報は、名詞、動詞、代名詞、および形容詞など、単語の１タイプまたは単語の複数のタイプのセットとされ得、名前情報は、通常は人の名前である。送信端末またはネットワーク側のサーバは、第１の入力情報に対して意味解析を実行する。具体的には、送信端末またはネットワーク側のサーバは、文法に従って、入手されたキー情報すなわちキーワードから名前情報を入手する。たとえば、第１の入力情報が、「Ｌｉ  Ｓｉ，  ｗｈａｔ  ａｒｅ  ｙｏｕ  ｄｏｉｎｇ？（リ＝シ、君は何をしているのか）」である。次に、「Ｌｉ  Ｓｉ」、「ｙｏｕ」、および「ｗｈａｔ」などの単語であるキー情報が抽出される。意味解析の後に、キー情報から抽出され得る名前情報は、「Ｌｉ  Ｓｉ」である。
【００７０】
１０２２  送信端末が、名前情報が通信リスト内のユーザ名と一致するかどうかを検出する。
【００７１】
名前情報が入手された後に、名前情報は、通信リスト内のユーザ名と比較され、名前情報が通信リスト内のユーザ名と一致するかどうかが検出される。たとえば、名前情報が通信リスト内のユーザ名と同一であるかどうかが検出される。
【００７２】
１０３１  送信端末が、名前情報と一致する通信リスト内のユーザ名をターゲットユーザ名として判定する。
【００７３】
名前情報が、通信リスト内のユーザ名と一致するときに、名前情報と一致する通信リスト内のユーザ名は、名前情報と成功して照合するユーザ名として使用される。たとえば、入力情報から抽出された名前情報が「Ｌｉ  Ｓｉ」であり、「Ｌｉ  Ｓｉ」は、通信リスト内のユーザ名と比較され、ユーザ名「Ｌｉ  Ｓｉ」が、通信リスト内に存在することが見つけられ、名前情報「Ｌｉ  Ｓｉ」が、通信リスト内のユーザ名「Ｌｉ  Ｓｉ」と一致する。したがって、名前情報は、通信リスト内のユーザ名「Ｌｉ  Ｓｉ」と成功して照合する。
【００７４】
１０２１、１０２２、および１０３１は、ユーザによって入力された入力情報を受信する送信端末またはネットワーク側のサーバによって実行される。１０２１、１０２２、および１０３１の手順では、ユーザの動作介入は必要ではなく、ユーザの動作を単純にする。
【００７５】
加えて、入力情報から抽出された名前情報と通信リスト内のユーザ名との間で実行される照合が失敗するときには、入力情報および抽出された名前情報は、直接束縛され、グループ内の受信端末に送信され得る。グループ内の受信端末は、入力情報を表示し、入力情報が名前情報に関係することを示すために入力情報の周囲に名前情報を直接に表示し、その結果、ユーザは、入力情報が誰に関係するのかを相対的に素早く習得できるようになる。
【００７６】
本発明のこの実施形態で提供されるメッセージ表示方法によって、入力情報内のキー情報が、抽出され得、キー情報は、通信リスト内のユーザ名と照合され、入力情報および入力情報内のキー情報と成功して照合するユーザ名が、束縛され、束縛された成功して照合されたユーザ名および入力情報は、受信端末に送信され、その結果、受信端末は、成功して照合されたユーザ名に従ってリマインダメッセージを表示するようになる。ユーザに関係する入力情報を検索するために、未読情報がグループ内の大量の未読情報から順次読み取られる必要がある従来技術と比較して、本発明では、入力情報内のキー情報が抽出され、キー情報が通信リスト内のユーザ名と照合され、入力情報および入力情報内のキー情報と成功して照合するユーザ名が束縛され、受信端末に送信される。成功して照合されたユーザ名に束縛された入力情報を受信した後に、入力情報を表示している間に、受信端末は、入力情報が成功して照合されたユーザ名に関係することを示すリマインダメッセージをも表示する、すなわち、大量の未読情報は、未読情報に関係するユーザを思い出させるリマインダメッセージを担持する。ユーザは、リマインダメッセージによって思い出させられた関係するユーザに従って、大量の未読情報からユーザに関係する入力情報を素早く入手することができ、これによって、大量の未読情報からユーザに関係する入力情報を検索するのにユーザによって費やされる時間を大幅に減らす。加えて、人のより特定の名前が、入力情報内のキー情報から名前情報を抽出することによって入手され、これは、照合が無関係の単語とユーザ名との間で実行されるプロセスを省略することができ、照合プロセスで費やされる時間を減らし、これによって、照合プロセスの効率を改善する。
【００７７】
さらに、呼称情報とユーザ名との間の対応が、さらに確立され得、呼称情報は、通常は人の呼称または愛称であり、したがって、これは、成功の照合の正確さを保証することに基づいて成功の照合の範囲を拡張する。図１に示された解決策に基づいて、本発明の一実施形態は、メッセージ表示方法の特定の解決策をさらに提供する。１０５から１０７が、１０１の前に追加され、呼称情報とユーザ名との間の対応が確立される。呼称情報とユーザ名との間の対応は、通信リスト内に記憶され、図１に示された１０２および１０３を実行するプロセスが、さらに詳細に示される。１０２は、具体的には１０２３および１０２４として実施され得る。１０３は、具体的には１０３２として実施され得る。図３に示されているように、特定の解決策は、以下を含む。
【００７８】
１０５  送信端末が、ヒストリカル入力情報内の呼称情報およびヒストリカル入力情報に対応するユーザ名を入手する。
【００７９】
送信端末またはネットワーク側のサーバは、ヒストリカル入力情報を入手し、ヒストリカル入力情報内の名前情報を抽出し、ヒストリカル入力情報に対応するユーザ名を入手し得る。ヒストリカル入力情報は、非グループヒストリカル入力情報すなわち、端末の間の１対１通信内のヒストリカル入力情報とされ得る。呼称情報は、端末の間の１対１通信内の非グループヒストリカル入力情報から抽出され、入力情報内の受信端末のユーザ名が入手され、その結果、呼称情報とユーザ名との間の対応が、後続プロセス内で確立されるようになる。ヒストリカル入力情報は、ユーザ名に既に束縛されたグループ内のヒストリカル入力情報であってもまたよく、ユーザ名に既に束縛されたグループ内のヒストリカル入力情報から抽出された呼称情報およびヒストリカル入力情報に束縛されたユーザ名が入手され、その結果、呼称情報とユーザ名との間の対応が、後続プロセス内で確立されるようになる。
【００８０】
送信端末またはネットワーク側のサーバが、ステップ１０５に従って、ヒストリカル入力情報から、ユーザによって一般的に使用される友人の愛称または短い呼称などの呼称情報を抽出することに留意されたい。
【００８１】
１０６  送信端末が、ヒストリカル入力情報内の呼称情報およびヒストリカル入力情報に対応するユーザ名に従って、ヒストリカル入力情報内の呼称情報とユーザ名との間の対応を確立する。
【００８２】
送信端末またはネットワーク側のサーバは、ヒストリカル入力情報内の入手された呼称情報およびヒストリカル入力情報に対応するユーザ名に従って、呼称情報とユーザ名との間の対応を確立することができる。呼称情報とユーザ名との間の対応は、１つの呼称情報と１つのユーザ名との間の対応とされ得、あるいは、複数の呼称情報と１つのユーザ名との間の対応とされ得る。たとえば、呼称情報「Ｘｉａｏ  Ｓｉ」は、ユーザ名「Ｌｉ  Ｓｉ」に対応する。別の例として、呼称情報「Ｘｉａｏ  Ｓｉ」、「Ｔｅａｃｈｅｒ  Ｌｉ」、および「Ｂｒｏｔｈｅｒ  Ｌｉ」のすべてが、ユーザ名「Ｌｉ  Ｓｉ」に対応する。
【００８３】
呼称情報および呼称情報に対応するユーザ名が、名前情報とユーザ名との間の対応を確立するために、ユーザによって前もって入力されてもまたよいことに留意されたい。後続プロセスでは、入力の形でユーザによって事前に確立された対応が、ターゲットユーザ名を判定するのに使用され得る。
【００８４】
１０７  送信端末が、対応を記憶する。
【００８５】
呼称情報とユーザ名との間で確立された対応は、送信端末またはネットワーク側のサーバ内で記憶される。具体的には、呼称情報とユーザ名との間の対応は、通信リスト内に記憶され得、あるいは、専用のデータベースが、呼称情報とユーザ名との間の対応を記憶するために確立され得る。
【００８６】
たとえば、呼称情報「Ｘｉａｏ  Ｓｉ」を含む入力情報が、携帯電話機上のＱＱ友人リスト内の「Ｌｉ  Ｓｉ」にしばしば送信され、端末またはネットワーク側のサーバが、呼称情報「Ｘｉａｏ  Ｓｉ」および呼称情報とＱＱ友人リスト内の「Ｌｉ  Ｓｉ」との間の対応を記録し、記憶する。
【００８７】
１０２３  キー情報から呼称情報を抽出するために、送信端末が、第１の入力情報から抽出されたキー情報に対して意味解析を実行する。
【００８８】
意味解析を実行し、キー情報から呼称情報を抽出するプロセスは、１０２１のキー情報から名前情報を抽出するプロセスと基本的に同一であり、ここでもう一度説明はされない。
【００８９】
１０２４  送信端末が、第１の入力情報内の呼称情報に従って、第１の入力情報内の呼称情報に対応するユーザ名が通信リスト内に存在するかどうかを検出する。
【００９０】
ヒストリカル入力情報内の呼称情報とユーザ名との間の対応は、通信リスト内に記憶され、送信端末またはネットワーク側のサーバは、呼称情報と成功して照合するユーザ名が存在するかどうかを判定するために、第１の入力情報内の呼称情報に対応するユーザ名が通信リスト内に存在するかどうかを検出する。
【００９１】
１０３２  送信端末が、第１の入力情報内の呼称情報に対応するユーザ名をターゲットユーザ名として判定する。
【００９２】
第１の入力情報内の呼称情報に対応するユーザ名が通信リスト内に存在するときには、呼称情報は、ターゲットユーザ名として判定される。後続プロセスでは、ターゲットユーザ名および第１の入力情報が束縛され、束縛された第１の入力情報およびターゲットユーザ名は、受信端末に送信される。
【００９３】
たとえば、呼称情報とユーザ名との間の４つの対応が、通信リスト内に記憶され、それぞれ、ａ．呼称情報「Ｅｎｇｉｎｅｅｒ  Ｚｈａｎｇ」とユーザ名「Ｚｈａｎｇ  Ｓａｎ」との間の対応、ｂ．呼称情報「Ｘｉａｏ  Ｓｉ」とユーザ名「Ｌｉ  Ｓｉ」との間の対応、ｃ．呼称情報「Ｄｉｒｅｃｔｏｒ  Ｌｉ」とユーザ名「Ｌｉ  Ｓｉ」との間の対応、およびｄ．呼称情報「Ｂｒｏｔｈｅｒ  Ｗａｎｇ」とユーザ名「Ｗａｎｇ  Ｗｕ」との間の対応である。第１の入力情報から抽出された呼称情報は、「Ｅｎｇｉｎｅｅｒ  Ｚｈａｎｇ」であり、その後、通信リスト内に記憶された４つの対応ａ、ｂ、ｃ、およびｄが検索される。呼称情報「Ｅｎｇｉｎｅｅｒ  Ｚｈａｎｇ」に対応するユーザ名「Ｚｈａｎｇ  Ｓａｎ」が存在するので、ユーザ名「Ｚｈａｎｇ  Ｓａｎ」は、ターゲットユーザ名として使用される。後続プロセスでは、ターゲットユーザ名「Ｚｈａｎｇ  Ｓａｎ」および第１の入力情報が束縛され、束縛された第１の入力情報およびターゲットユーザ名「Ｚｈａｎｇ  Ｓａｎ」が、受信端末に送信される。
【００９４】
本発明のこの実施形態で提供されるメッセージ表示方法によって、入力情報内のキー情報が、抽出され得、キー情報は、通信リスト内のユーザ名と照合され、入力情報および入力情報内のキー情報と成功して照合するユーザ名が、束縛され、束縛された成功して照合されたユーザ名および入力情報は、受信端末に送信され、その結果、受信端末は、成功して照合されたユーザ名に従ってリマインダメッセージを表示するようになる。ユーザに関係する入力情報を検索するために、未読情報がグループ内の大量の未読情報から順次読み取られる必要がある従来技術と比較して、本発明では、入力情報内のキー情報が抽出され、キー情報が通信リスト内のユーザ名と照合され、入力情報および入力情報内のキー情報と成功して照合するユーザ名が束縛され、受信端末に送信される。成功して照合されたユーザ名に束縛された入力情報を受信した後に、入力情報を表示している間に、受信端末は、入力情報が成功して照合されたユーザ名に関係することを示すリマインダメッセージをも表示する、すなわち、大量の未読情報は、未読情報に関係するユーザを思い出させるリマインダメッセージを担持する。ユーザは、リマインダメッセージによって思い出させられた関係するユーザに従って、大量の未読情報からユーザに関係する入力情報を素早く入手することができ、これによって、大量の未読情報からユーザに関係する入力情報を検索するのにユーザによって費やされる時間を大幅に減らす。加えて、一般に使用される呼称情報およびユーザ名との対応が、ヒストリカル入力情報に従って確立され、その結果、ユーザ名とは異なるがユーザ名を指向する呼称情報が、ユーザ名に成功して照合するようになり、これが、成功の照合の正確さのレートを保証することに基づいて成功の照合の範囲を拡張する。
【００９５】
加えて、相関関係が、連続する未読情報の間にしばしば存在する。入力情報の間の相関関係に従って、入力情報に成功して照合するユーザ名をより正確に入手するために、図２に示された解決策に関連して、その解決策に基づいて、本発明の実施形態は、メッセージ表示方法をさらに提供する。１０８から１１１が、１０４の後に追加され得る。図４に示されているように、メッセージ表示方法は、以下を含む。
【００９６】
１０８  送信端末が、第２の入力情報を受信し、第２の入力情報からキー情報を抽出する。
【００９７】
第２の入力情報は、第１の入力情報が受信された後に受信された入力情報であり、第２の入力情報は、第１の入力情報が受信された後に受信された１番目の入力情報とされ得、あるいは、第１の入力情報が受信された後に受信されたＮ個の情報とされ得、Ｎは正の整数である。
【００９８】
第１の入力情報は、テキスト入力情報または音声入力情報とされ得、第２の入力情報は、テキスト入力情報または音声入力情報とされ得る。第１の入力情報の形態と第２の入力情報の形態との間の関係は、以下のケースを含むがこれに限定はされない。ａ．第１の入力情報と第２の入力情報との両方が、テキスト入力情報である、ｂ．第１の入力情報と第２の入力情報との両方が、音声入力情報である、ｃ．第１の入力情報が音声入力情報であり、第２の入力情報がテキスト入力情報である、ｄ．第１の入力情報がテキスト入力情報であり、第２の入力情報が音声入力情報である。
【００９９】
１０９  送信端末が、第１の入力情報内の名前情報または呼称情報および第２の入力情報内のキー情報を使用することによって、第２の入力情報および第１の入力情報に対して意味相関分析を実行する。
【０１００】
送信端末またはネットワーク側のサーバは、第２の入力情報および第１の入力情報に対して意味相関分析（semantic correlation analysis）を実行する、すなわち、第２の入力情報内で名前情報でも呼称情報でもないキー情報を入手し、第２の入力情報内の名前情報でも呼称情報でもないキー情報と第１の入力情報内の名前情報または呼称情報とに対して意味相関分析を実行する。具体的には、送信端末またはネットワーク側のサーバは、第２の入力情報内のキー情報と第１の入力情報内の名前情報または呼称情報とに対して意味解析を実行し、第２の入力情報内のキー情報が、第１の入力情報を志向するかどうか、すなわち、第２の入力情報内のキー情報と第１の入力情報内の名前情報または呼称情報との両方が、同一物体の２つの異なる呼称であるかどうかを判定する。したがって、第２の入力情報が、第１の入力情報に相関されるかどうかが判定される、すなわち、第２の入力情報が、第１の入力情報に成功して相関されるかどうかが判定される。第２の入力情報内の名前情報でも呼称情報でもないキー情報が、名詞、人の名前、またはキー情報内の人の愛称もしくは短い呼称ではない単語を指し、名前情報でも呼称情報でもないキー情報が、名前情報、呼称情報、またはユーザ名を指向する機能を有する代名詞などの単語とされ得ることに留意されたい。第２の入力情報が第１の入力情報に成功して相関されることは、第２の入力情報に束縛され得るユーザ名が、第１の入力情報に束縛されたターゲットユーザ名と同一であることを示す。たとえば、第１の入力情報が「Ｘｉａｏ  Ｓｉ，  ｈｏｗ  ａｒｅ  ｙｏｕ？（シャオ＝シ、元気？）」であり、第２の入力情報が「Ｗｈａｔ  ｄｏ  ｙｏｕ  ｄｏ  ｎｏｗ？（今何してるの？）」である。意味相関分析が、第１の入力情報および第２の入力情報に対して実行され、第２の入力情報内の「ｙｏｕ」が、第１の入力情報内の「Ｘｉａｏ  Ｓｉ」に対応することが入手され得る。したがって、第２の入力情報が、第１の入力情報内のキー情報から抽出された呼称情報に相関される、すなわち、第２の入力情報が、第１の入力情報に成功して意味的に相関されることが入手され得る。
【０１０１】
１１０  第２の入力情報が第１の入力情報に成功して意味的に相関されるときに、送信端末が、第２の入力情報がターゲットユーザ名に対応すると判定する。
【０１０２】
第２の入力情報が、第１の入力情報に意味的に相関される、すなわち、第２の入力情報内のキー情報が、第１の入力情報を指向する、すなわち、第２の入力情報内のキー情報と第１の入力情報内の呼称情報との両方が、同一物体の２つの異なる呼称であるときに、端末またはネットワーク側のサーバは、第２の入力情報に対応するターゲットユーザ名を判定する。たとえば、１０９の例では、第２の入力情報が、第１の入力情報に意味的に相関されるので、第２の入力情報に対応するターゲットユーザ名が、第１の入力情報に対応するターゲットユーザ名と同一であると判定される。第１の入力情報に対応するターゲットユーザ名は、「Ｌｉ  Ｓｉ」であり、したがって、第２の入力情報に対応するターゲットユーザ名も、「Ｌｉ  Ｓｉ」である、すなわち、第２の入力情報は、第１の入力情報のターゲットユーザ名「Ｌｉ  Ｓｉ」に対応する。
【０１０３】
１１１  受信端末が、ターゲットユーザ名に従ってリマインダメッセージを表示するようにするために、送信端末が、第２の入力情報およびターゲットユーザ名を束縛し、受信端末に、束縛された第２の入力情報およびターゲットユーザ名を送信する。
【０１０４】
第２の入力情報および通信リスト内のユーザ名を束縛するプロセスは、１０４での第１の入力情報および通信リスト内のユーザ名を束縛するプロセスと同一であり、ここでもう一度説明はされない。
【０１０５】
本発明のこの実施形態で提供されるメッセージ表示方法によって、入力情報内のキー情報が、抽出され得、キー情報は、通信リスト内のユーザ名と照合され、入力情報および入力情報内のキー情報と成功して照合するユーザ名が、束縛され、束縛された成功して照合されたユーザ名および入力情報は、受信端末に送信され、その結果、受信端末は、成功して照合されたユーザ名に従ってリマインダメッセージを表示するようになる。ユーザに関係する入力情報を検索するために、未読情報がグループ内の大量の未読情報から順次読み取られる必要がある従来技術と比較して、本発明では、入力情報内のキー情報が抽出され、キー情報が通信リスト内のユーザ名と照合され、入力情報および入力情報内のキー情報と成功して照合するユーザ名が束縛され、受信端末に送信される。成功して照合されたユーザ名に束縛された入力情報を受信した後に、入力情報を表示している間に、受信端末は、入力情報が成功して照合されたユーザ名に関係することを示すリマインダメッセージをも表示する、すなわち、大量の未読情報は、未読情報に関係するユーザを思い出させるリマインダメッセージを担持する。ユーザは、リマインダメッセージによって思い出させられた関係するユーザに従って、大量の未読情報からユーザに関係する入力情報を素早く入手することができ、これによって、大量の未読情報からユーザに関係する入力情報を検索するのにユーザによって費やされる時間を大幅に減らす。加えて、意味相関分析が、第２の入力情報および第１の入力情報に対して実行される。この形で、名前情報および呼称情報が第２の入力情報内に直接には存在しない場合に、第２の入力情報に束縛され得るターゲットユーザ名が、第２の入力情報と第１の入力情報との間の成功の相関に従って判定され得、その結果、入力情報に束縛されなければならないユーザ名が、より正確かつより包括的に入手されるようになる。
【０１０６】
本発明の実施形態は、受信端末に適用されるメッセージ表示方法を提供する。受信端末によって受信される配信された情報は、ネットワーク側のサーバによって送信される。図５に示されているように、メッセージ表示方法は、以下を含む。
【０１０７】
２０１  受信端末が、第１の配信された情報を受信する。
【０１０８】
第１の配信された情報は、サーバによって送信される、すなわち、第１の配信された情報は、ネットワーク側のサーバによって送信される。受信端末は、第１の配信された情報を受信し、第１の配信された情報は、音声の配信された情報とされ得、あるいは、テキストの配信された情報とされ得る。
【０１０９】
２０２  受信端末が、第１の配信された情報からキー情報を抽出し、第１の配信された情報内のキー情報と受信端末に対応するユーザ名とを照合する。
【０１１０】
受信端末が、ネットワーク側のサーバによって送信された配信された情報を受信するときに、受信端末は、配信された情報内のキー情報を抽出する。具体的には、単語分割が、配信された情報が分割された後に生成されるキーワードすなわちキー情報を入手するために、受信された配信された情報に対して実行される。キー情報は、受信端末に対応するユーザ名と照合される、すなわち、配信された情報が通信リスト内のユーザ名に関係するかどうかが検出される。たとえば、第１の配信された情報が、「Ｔｅａｃｈｅｒ  Ｌｉ，  ｗｈｅｒｅ  ａｒｅ  ｙｏｕ  ｎｏｗ？（リ先生、今どこにいらっしゃいますか）」であり、その後、単語分割が、「Ｔｅａｃｈｅｒ  Ｌｉ」および「ｗｈｅｒｅ」などの単語であるキー情報を入手するために、第１の配信された情報に対して実行される。受信端末に対応するユーザ名は、インスタントメッセージングアプリケーション内の通信リスト内の受信端末のユーザ名である。たとえば、ローカル携帯電話機がＱＱを使用するときに、ローカル携帯電話機のユーザ名は、「Ｌｉ  Ｓｉ」であり、したがって、ローカル携帯電話機に対応するユーザ名は、「Ｌｉ  Ｓｉ」である。
【０１１１】
キー情報が、動詞、名詞、代名詞、および形容詞など、単語の１タイプまたは単語の複数のタイプのセットであることに留意されたい。
【０１１２】
２０３  受信端末が、お互いに成功して照合する受信端末に対応するユーザ名および第１の配信された情報を束縛する。
【０１１３】
受信端末に対応するユーザ名と成功して照合するキー情報がその中に存在する配信された情報は、受信端末に対応するユーザ名に束縛され、リマインダ情報は、配信された情報が受信端末に対応するユーザ名に関係することを示すために受信端末上で直接に表示される。第１の配信された情報およびターゲットユーザ名が束縛され、その結果、ターゲットユーザ名が第１の配信された情報に添付されるようになり、第１の配信された情報が転送されるときに、ターゲットユーザ名が、第１の配信された情報と一緒に転送されるようになることに留意されたい。
【０１１４】
２０４  受信端末が、受信端末に対応するユーザ名に従ってリマインダメッセージを表示する。
【０１１５】
リマインダメッセージは、受信端末に対応するユーザ名または受信端末に対応するユーザ名に対応する識別情報を含む。リマインダメッセージが、配信された情報に関係する受信端末上でのみ表示され、リマインダメッセージが、受信端末に対応するユーザ名または受信端末に対応するユーザ名に対応する識別情報を含むことに留意されたい。たとえば、図１ａに示されているように、受信端末上のワーキンググループのチャットインターフェース上では、「ｒｅｌａｔｅｄ  ｔｏ  ｍｅ」という単語を有するリマインダメッセージが、受信端末に対応するユーザ名が表示されている間に表示される。リマインダメッセージの特定の表現については、ステップ１０４の説明を参照されたい。詳細は、ここでもう一度説明はされない。受信端末は、「ｍｅ」に関係する配信された情報の量をユーザに思い出させるのに使用される量リマインダメッセージをさらに表示し得る。受信端末は、量リマインダメッセージに対するユーザのトリガ動作をさらに受信し、「ｍｅ」に関係する配信された情報の位置に表示インターフェースをロックすることができる。
【０１１６】
本発明のこの実施形態でさらに提供されるメッセージ表示方法によって、配信された情報内のキー情報が、抽出され得、キー情報は、受信端末に対応するユーザ名と照合され、受信端末に対応するユーザ名と成功して照合する配信された情報は、受信端末に対応するユーザ名に束縛され、受信端末は、リマインダメッセージを表示する。ユーザに関係する配信された情報を検索するために、未読情報がグループ内の大量の未読情報から順次読み取られる必要がある従来技術と比較して、本発明では、配信された情報内のキー情報が抽出され、キー情報は、受信端末に対応するユーザ名と照合され、受信端末に対応するユーザ名と成功して照合する配信された情報は、受信端末に対応するユーザ名に束縛され、受信端末は、配信された情報を表示する間にリマインダメッセージをも表示する、すなわち、受信端末上に表示される大量の未読情報は、未読情報に関係するユーザを思い出させるリマインダメッセージを担持する。ユーザは、リマインダメッセージに従って大量の未読情報からユーザに関係する配信された情報を素早く入手することができ、これによって、大量の未読情報からユーザに関係する配信された情報を検索するのにユーザによって費やされる時間を大幅に減らす。
【０１１７】
さらに、キー情報は、名前情報または呼称情報を含む。名前情報は、通常は人の名前であり、呼称情報は、通常は人の呼称または愛称である。この実施形態では、照合は、主に、名前情報と通信リスト内のユーザ名との間で実行され、成功して照合されるユーザ名が、入手される。図５に示された解決策に基づいて、本発明の実施形態は、図５に示された２０２および２０３を実行するプロセスをさらに詳細に示すために、メッセージ表示方法の特定の解決策をさらに提供する。２０２は、具体的には２０２１および２０２２として実施され得、２０３は、具体的には２０３１として実施され得る。図６に示されているように、特定の解決策は、以下を含む。
【０１１８】
２０２１  キー情報から名前情報を抽出するために、受信端末が、第１の配信された情報から抽出されたキー情報に対して意味解析を実行する。
【０１１９】
配信された情報から抽出される情報は、キーワードの形態で抽出される。したがって、キー情報は、名詞、動詞、代名詞、および形容詞など、単語の１タイプまたは単語の複数のタイプのセットとされ得、名前情報は、通常は人の名前である。受信端末は、第１の配信された情報に対して意味解析を実行する。具体的には、受信端末は、文法に従って、入手されたキー情報すなわちキーワードから名前情報を入手し得る。たとえば、第１の配信された情報は、「Ｚｈａｎｇ  Ｓａｎ，  ｃｏｍｅ  ｈｅｒｅ（ツァン＝サン、ここにきなさい）」である。次に、「Ｚｈａｎｇ  Ｓａｎ」および「ｙｏｕ」などの単語であるキー情報が抽出される。意味解析の後に、キー情報から抽出され得る名前情報は、「Ｚｈａｎｇ  Ｓａｎ」である。
【０１２０】
２０２２  受信端末が、名前情報が受信端末に対応するユーザ名と一致するかどうかを検出する。
【０１２１】
名前情報が入手された後に、名前情報は、受信端末に対応するユーザ名と比較され、名前情報が受信端末に対応するユーザ名と一致するかどうかが検出される。
【０１２２】
２０３１  第１の配信された情報内の名前情報が受信端末に対応するユーザ名と一致するときに、受信端末が、第１の配信された情報および受信端末に対応するユーザ名を束縛する。
【０１２３】
名前情報が受信端末に対応するユーザ名と一致するときには、受信端末に対応するユーザ名と一致する名前情報がその中に存在する第１の配信された情報は、受信端末に対応するユーザ名に束縛され、リマインダメッセージが受信端末上で表示される。たとえば、配信された情報から抽出された名前情報が、「Ｚｈａｎｇ  Ｓａｎ」であり、「Ｚｈａｎｇ  Ｓａｎ」が受信端末に対応するユーザ名と比較され、名前情報「Ｚｈａｎｇ  Ｓａｎ」が、受信端末に対応するユーザ名と一致するときには、名前情報がその中に存在する配信された情報が、受信端末に対応するユーザ名「Ｚｈａｎｇ  Ｓａｎ」に束縛され、「ｒｅｌａｔｅｄ  ｔｏ  ｍｅ」または「ｒｅｌａｔｅｄ  ｔｏ  Ｚｈａｎｇ  Ｓａｎ」という単語を有するリマインダメッセージが、受信端末上で表示される。
【０１２４】
２０２１、２０２２、および２０３１は、サーバによって送信された配信された情報を受信する対応する受信端末によって実行される。２０２１、２０２２、および２０３１の手順では、ユーザの動作介入は必要ではなく、ユーザの動作を単純にする。
【０１２５】
本発明のこの実施形態でさらに提供されるメッセージ表示方法によって、配信された情報内のキー情報が、抽出され得、キー情報は、受信端末に対応するユーザ名と照合され、受信端末に対応するユーザ名と成功して照合する配信された情報は、受信端末に対応するユーザ名に束縛され、受信端末は、リマインダメッセージを表示する。ユーザに関係する配信された情報を検索するために、未読情報がグループ内の大量の未読情報から順次読み取られる必要がある従来技術と比較して、本発明では、配信された情報内のキー情報が抽出され、キー情報は、受信端末に対応するユーザ名と照合され、受信端末に対応するユーザ名と成功して照合する配信された情報は、受信端末に対応するユーザ名に束縛され、受信端末は、配信された情報を表示する間にリマインダメッセージをも表示する、すなわち、受信端末上に表示される大量の未読情報は、未読情報に関係するユーザを思い出させるリマインダメッセージを担持する。ユーザは、リマインダメッセージに従って大量の未読情報からユーザに関係する配信された情報を素早く入手することができ、これによって、大量の未読情報からユーザに関係する配信された情報を検索するのにユーザによって費やされる時間を大幅に減らす。加えて、人のより特定の名前または呼称が、配信された情報内のキー情報から名前情報を抽出することによって入手され、これは、照合が無関係の単語と受信端末に対応するユーザ名との間で実行されるプロセスを省略することができ、照合プロセスで費やされる時間を減らし、これによって、照合プロセスの効率を改善する。
【０１２６】
さらに、呼称情報と受信端末に対応するユーザ名との間の対応が、さらに確立され得、したがって、これは、成功の照合の正確さのレートを保証することに基づいて成功の照合の範囲を拡張する。図５に示された解決策に基づいて、本発明の実施形態は、メッセージ表示方法の特定の解決策をさらに提供する。２０５から２０７が、２０１の前に追加される。呼称情報と受信端末に対応するユーザ名との間の対応が、確立され、図５に示された２０２および２０３を実行するプロセスが、さらに詳細に示される。２０２は、具体的には２０２３および２０２４として実施され得る。２０３は、具体的には２０３２として実施され得る。図７に示されているように、特定の解決策は、以下を含む。
【０１２７】
２０５  受信端末が、受信端末に送信されたヒストリカル配信された情報内の呼称情報を入手する。
【０１２８】
呼称情報は、通常は人の呼称、愛称、短い呼称、または類似物である。非グループ１対１通信が別の端末と受信端末との間で実行されるときに、受信端末は、呼称情報と受信端末に対応するユーザ名との間の対応が後続プロセス内で確立されるようにするために、受信端末に送信されたヒストリカル配信された情報内の呼称情報を入手し得、かつ／または受信端末は、呼称情報と受信端末に対応するユーザ名との間の対応が後続プロセス内で確立されるようにするために、グループ内で受信端末に対応するユーザ名に束縛されたヒストリカル配信された情報を入手し、ヒストリカル配信された情報内の呼称情報を入手する。
【０１２９】
２０６  受信端末が、ヒストリカル配信された情報内の呼称情報に従って、ヒストリカル配信された情報内の呼称情報と受信端末に対応するユーザ名との間の対応を確立する。
【０１３０】
受信端末は、受信端末に送信されたヒストリカル配信された情報内の呼称情報および受信端末に対応するユーザ名に従って、呼称情報と受信端末に対応するユーザ名との間の対応を確立することができる。呼称情報と受信端末に対応するユーザ名との間の対応は、１つの呼称情報と受信端末に対応するユーザ名との間の対応とされ得、あるいは、複数の呼称情報と受信端末に対応するユーザ名との間の対応とされ得る。たとえば、受信端末に対応するユーザ名が、「Ｚｈａｎｇ  Ｓａｎ」であり、呼称情報「Ｅｎｇｉｎｅｅｒ  Ｚｈａｎｇ」が、受信端末に対応するユーザ名「Ｚｈａｎｇ  Ｓａｎ」に対応する。別の例として、呼称情報「Ｅｎｇｉｎｅｅｒ  Ｚｈａｎｇ」と「Ｂｒｏｔｈｅｒ  Ｚｈａｎｇ」との両方が、受信端末に対応するユーザ名「Ｚｈａｎｇ  Ｓａｎ」に対応する。
【０１３１】
受信端末のユーザ名に対応する呼称情報が、名前情報と受信端末に対応するユーザ名との間の対応を確立するために、前もってユーザによって入力されてもまたよいことに留意されたい。後続プロセスでは、入力の形でユーザによって事前に確立された対応が、配信された情報および受信端末に対応するユーザ名が束縛されるかどうかを判定するのに使用され得る。
【０１３２】
２０７  受信端末が、対応を記憶する。
【０１３３】
呼称情報とローカルユーザに対応するユーザ名との間の確立された対応は、受信端末内で記憶される。具体的には、呼称情報とローカルユーザに対応するユーザ名との間の確立された対応は、通信リスト内に記憶され得、あるいは、専用のデータベースが、呼称情報と受信端末に対応するユーザ名との間の対応を記憶するために確立され得る。
【０１３４】
２０２３  キー情報から呼称情報を抽出するために、受信端末が、第１の配信された情報から抽出されたキー情報に対して意味解析を実行する。
【０１３５】
意味解析の実行および配信された情報内のキー情報からの呼称情報の抽出の特定の内容については、ステップ１０２１での入力情報内のキー情報からの名前情報の抽出の内容を参照されたい。詳細は、ここでもう一度説明はされない。
【０１３６】
２０２４  受信端末が、第１の配信された情報内の呼称情報に従って、第１の配信された情報内の呼称情報が受信端末に対応するユーザ名に対応するかどうかを検出する。
【０１３７】
受信端末は、第１の配信された情報および受信端末に対応するユーザ名が束縛されるかどうかを判定するために、第１の配信された情報内の呼称情報が、通信リスト内の、受信端末に対応するユーザ名に対応するかどうかを検出する。
【０１３８】
２０３２  第１の配信された情報内の呼称情報が受信端末に対応するユーザ名に対応するときに、受信端末が、第１の配信された情報および受信端末に対応するユーザ名を束縛する。
【０１３９】
第１の配信された情報内の呼称情報が、受信端末に対応するユーザ名に対応するときには、第１の配信された情報および受信端末に対応するユーザ名が、束縛され、受信端末は、受信端末上でリマインダ情報を表示する。
【０１４０】
本発明のこの実施形態でさらに提供されるメッセージ表示方法によって、配信された情報内のキー情報が、抽出され得、キー情報は、受信端末に対応するユーザ名と照合され、受信端末に対応するユーザ名と成功して照合する配信された情報は、受信端末に対応するユーザ名に束縛され、受信端末は、リマインダメッセージを表示する。ユーザに関係する配信された情報を検索するために、未読情報がグループ内の大量の未読情報から順次読み取られる必要がある従来技術と比較して、本発明では、配信された情報内のキー情報が抽出され、キー情報は、受信端末に対応するユーザ名と照合され、受信端末に対応するユーザ名と成功して照合する配信された情報は、受信端末に対応するユーザ名に束縛され、受信端末は、配信された情報を表示する間にリマインダメッセージをも表示する、すなわち、受信端末上に表示される大量の未読情報は、未読情報に関係するユーザを思い出させるリマインダメッセージを担持する。ユーザは、リマインダメッセージに従って大量の未読情報からユーザに関係する配信された情報を素早く入手することができ、これによって、大量の未読情報からユーザに関係する配信された情報を検索するのにユーザによって費やされる時間を大幅に減らす。加えて、一般に使用される呼称情報と受信端末に対応するユーザ名との間の対応が、ヒストリカル配信された情報に従って確立され、その結果、受信端末に対応するユーザ名とは異なるがユーザ名を指向する呼称情報が、受信端末に対応するユーザ名に成功して照合されるようになり、これが、成功の照合の正確さのレートを保証することに基づいて成功の照合の範囲を拡張する。
【０１４１】
加えて、相関関係が、連続する未読情報の間にしばしば存在する。配信情報の間の相関関係に従って、配信された情報に束縛され得るユーザ名をより正確に入手するために、図６に示された解決策に関連して、その解決策に基づいて、本発明の実施形態は、メッセージ表示方法をさらに提供する。２０８から２１０が、２０３１の後に追加され得る。図８に示されているように、メッセージ表示方法は、以下を含む。
【０１４２】
２０８  受信端末が、第２の配信された情報を受信し、第２の配信された情報からキー情報を抽出する。
【０１４３】
第２の配信された情報は、第１の配信された情報が受信された後に受信された配信された情報であり、第２の配信された情報は、第１の配信された情報が受信された後に受信された１番目の配信された情報とされ得、あるいは、第１の配信された情報が受信された後に受信されたＮ個の配信された情報とされ得、Ｎは、正の整数である。
【０１４４】
第１の配信された情報は、テキストの配信された情報または音声の配信された情報とされ得、第２の配信された情報は、テキストの配信された情報または音声の配信された情報とされ得る。第１の配信された情報の形態と第２の配信された情報の形態との間の関係は、以下のケースを含むがこれに限定はされない。ａ．第１の配信された情報と第２の配信された情報との両方が、テキストの配信された情報である、ｂ．第１の配信された情報と第２の配信された情報との両方が、音声の配信された情報である、ｃ．第１の配信された情報が音声の配信された情報であり、第２の配信された情報がテキストの配信された情報である、ｄ．第１の配信された情報がテキストの配信された情報であり、第２の配信された情報が音声の配信された情報である。
【０１４５】
２０９  受信端末が、第１の配信された情報内の名前情報または呼称情報と第２の配信された情報内のキー情報とを使用することによって、第２の配信された情報および第１の配信された情報に対して意味相関分析を実行する。
【０１４６】
受信端末は、第２の配信された情報および第１の配信された情報に対して意味相関分析を実行する、すなわち、第２の配信された情報内の、名前情報でも呼称情報でもないキー情報を入手し、第２の配信された情報内の、名前情報でも呼称情報でもないキー情報と、第１の配信された情報内の名前情報または呼称情報とに対して意味相関分析を実行する。具体的には、送信端末またはネットワーク側のサーバは、第２の入力情報内のキー情報と第１の入力情報内の名前情報または呼称情報とに対して意味解析を実行し、第２の入力情報内のキー情報が第１の入力情報を指向するかどうか、すなわち、第２の入力情報内のキー情報と第１の入力情報内の名前情報または呼称情報との両方が、同一物体の２つの異なる呼称であるかどうかを判定する。したがって、第２の配信された情報が、第１の配信された情報内のキー情報から抽出された名前情報または呼称情報と相関されるかどうかが判定される、すなわち、第２の配信された情報が第１の配信された情報と成功して相関されるかどうかが判定される。第２の配信された情報内の、名前情報でも呼称情報でもないキー情報は、名詞、人の名前、またはキー情報内の人の愛称もしくは短い呼称ではない単語を指し、名前情報でも呼称情報でもないキー情報が、名前情報、呼称情報、またはユーザ名を指向する機能を有する代名詞などの単語とされ得ることに留意されたい。第２の配信された情報が第１の配信された情報に成功して相関されることは、第２の配信された情報も、受信端末に対応するユーザ名に束縛されることを示す。たとえば、第１の配信された情報が「Ｚｈａｎｇ  Ｓａｎ，  ａ  ｍｅｅｔｉｎｇ  ｓｔａｒｔｓ  ａｔ  ４  ｐ．ｍ！（ツァン＝サン、会議が午後４時に始まります！）」であり、第２の配信された情報が「Ｔａｋｅ  ａ  ｎｏｔｅｂｏｏｋ  ｃｏｍｐｕｔｅｒ  ｗｈｅｎ  ｙｏｕ  ｃｏｍｅ  ｔｏ  ａ  ｃｏｎｆｅｒｅｎｃｅ  ｒｏｏｍ！（会議室に来るときにはノートブックコンピュータを持参してください）」である。意味相関分析が、第１の配信された情報および第２の配信された情報に対して実行され、第２の配信された情報内の「ｙｏｕ」が、第１の配信された情報内の「Ｚｈａｎｇ  Ｓａｎ」に対応することが入手され得る。したがって、第２の配信された情報が、第１の配信された情報内のキー情報から抽出された名前情報に相関される、すなわち、第２の配信された情報が、第１の配信された情報に成功して意味的に相関されることが入手され得る。
【０１４７】
２１０  第２の配信された情報が第１の配信された情報と成功して意味的に相関されるときに、受信端末が、受信端末に対応するユーザ名および第２の配信された情報を束縛し、リマインダメッセージを表示する。
【０１４８】
第２の配信された情報が、第１の配信された情報に成功して意味的に相関される、すなわち、第２の入力情報内のキー情報が、第１の入力情報を指向する、すなわち、第２の入力情報内のキー情報と第１の入力情報内の呼称情報との両方が、同一物体の２つの異なる呼称であるときに、受信端末は、第２の配信された情報および受信端末に対応するユーザ名を束縛し、受信端末は、リマインダメッセージを表示する。たとえば、２０９の例では、第２の配信された情報が、第１の配信された情報に成功して相関されるので、第２の配信された情報および受信端末に対応するユーザ名は、束縛される。
【０１４９】
本発明のこの実施形態でさらに提供されるメッセージ表示方法によって、配信された情報内のキー情報が、抽出され得、キー情報は、受信端末に対応するユーザ名と照合され、受信端末に対応するユーザ名と成功して照合する配信された情報は、受信端末に対応するユーザ名に束縛され、受信端末は、リマインダメッセージを表示する。ユーザに関係する配信された情報を検索するために、未読情報がグループ内の大量の未読情報から順次読み取られる必要がある従来技術と比較して、本発明では、配信された情報内のキー情報が抽出され、キー情報は、受信端末に対応するユーザ名と照合され、受信端末に対応するユーザ名と成功して照合する配信された情報は、受信端末に対応するユーザ名に束縛され、受信端末は、配信された情報を表示する間にリマインダメッセージをも表示する、すなわち、受信端末上に表示される大量の未読情報は、未読情報に関係するユーザを思い出させるリマインダメッセージを担持する。ユーザは、リマインダメッセージに従って大量の未読情報からユーザに関係する配信された情報を素早く入手することができ、これによって、大量の未読情報からユーザに関係する配信された情報を検索するのにユーザによって費やされる時間を大幅に減らす。加えて、意味相関分析が、第２の配信された情報および第１の配信された情報に対して実行される。この形で、名前情報および呼称情報が第２の配信された情報内に直接には存在しない場合に、第２の配信された情報および受信端末に対応するユーザ名が、第２の配信された情報と第１の配信された情報との間の成功の相関に従って束縛され、その結果、受信端末に対応するユーザ名に束縛された配信された情報が、より正確かつより包括的に入手されるようになる。
【０１５０】
本発明の実施形態は、メッセージ表示装置３００をさらに提供する。図９に示されているように、メッセージ表示装置３００は、
第１の入力情報を受信するように構成された第１の受信モジュール３０１と、
第１の入力情報からキー情報を抽出し、第１の入力情報内のキー情報と通信リスト内のユーザ名との間で照合するように構成された第１の照合モジュール３０２と、
ターゲットユーザ名を判定するように構成された第１の判定モジュール３０３であって、
ターゲットユーザ名は、第１の入力情報内のキー情報と成功して照合するユーザ名である、第１の判定モジュール３０３と、
受信端末が、ターゲットユーザ名に従ってリマインダメッセージを表示するようにするために、第１の入力情報およびターゲットユーザ名を束縛し、束縛された第１の入力情報およびターゲットユーザ名を受信端末に送信するように構成された第１の送信モジュール３０４であって、リマインダメッセージは、ターゲットユーザ名またはターゲットユーザ名に対応する識別情報を含む、第１の送信モジュール３０４と
を含む。
【０１５１】
本発明のこの実施形態で提供されるメッセージ表示装置は、入力情報からキー情報を抽出し、キー情報と通信リスト内のユーザ名とを照合し、入力情報と入力情報内のキー情報と成功して照合するユーザ名とを束縛し、束縛された成功して照合されたユーザ名および入力情報を受信端末に送信することができ、その結果、受信端末は、成功して照合されたユーザ名に従ってリマインダメッセージを表示するようになる。ユーザに関係する入力情報を検索するために、未読情報がグループ内の大量の未読情報から順次読み取られる必要がある従来技術と比較して、本発明では、入力情報内のキー情報が抽出され、キー情報が通信リスト内のユーザ名と照合され、入力情報および入力情報内のキー情報と成功して照合するユーザ名が束縛され、受信端末に送信される。成功して照合されたユーザ名に束縛された入力情報を受信した後に、入力情報を表示している間に、受信端末は、入力情報が成功して照合されたユーザ名に関係することを示すリマインダメッセージをも表示する、すなわち、大量の未読情報は、未読情報に関係するユーザを思い出させるリマインダメッセージを担持する。ユーザは、リマインダメッセージによって思い出さされる関係するユーザに従って、大量の未読情報からユーザに関係する入力情報を素早く入手し、これによって、大量の未読情報からユーザに関係する入力情報を検索するためにユーザによって費やされる時間を大幅に減らす。
【０１５２】
さらに、キー情報は、名前情報または呼称情報を含む。図１０に示されているように、第１の照合モジュール３０２は、
キー情報から名前情報を抽出するために、第１の入力情報から抽出されたキー情報に対して意味解析を実行するように構成された第１の抽出ユニット３０２１と、
名前情報が通信リスト内のユーザ名と一致するかどうかを検出するように構成された第１の検出ユニット３０２２と
を含む。
【０１５３】
第１の判定モジュール３０３は、
名前情報と一致する通信リスト内のユーザ名をターゲットユーザ名として判定するように構成された第１の判定ユニット３０３１
を含む。
【０１５４】
本発明のこの実施形態で提供されるメッセージ表示装置は、入力情報からキー情報を抽出し、キー情報と通信リスト内のユーザ名との間で照合し、入力情報および入力情報内のキー情報と成功して照合するユーザ名を束縛し、束縛された成功して照合されたユーザ名および入力情報を受信端末に送信することができ、その結果、受信端末は、成功して照合されたユーザ名に従ってリマインダメッセージを表示するようになる。ユーザに関係する入力情報を検索するために、未読情報がグループ内の大量の未読情報から順次読み取られる必要がある従来技術と比較して、本発明では、入力情報内のキー情報が抽出され、キー情報が通信リスト内のユーザ名と照合され、入力情報および入力情報内のキー情報と成功して照合するユーザ名が束縛され、受信端末に送信される。成功して照合されたユーザ名に束縛された入力情報を受信した後に、入力情報を表示している間に、受信端末は、入力情報が成功して照合されたユーザ名に関係することを示すリマインダメッセージをも表示する、すなわち、大量の未読情報は、未読情報に関係するユーザを思い出させるリマインダメッセージを担持する。ユーザは、リマインダメッセージによって思い出さされた関係するユーザに従って、大量の未読情報からユーザに関係する入力情報を素早く入手し、これによって、大量の未読情報からユーザに関係する入力情報を検索するためにユーザによって費やされる時間を大幅に減らす。加えて、人のより特定の名前が、入力情報内のキー情報から名前情報を抽出することによって入手され、これは、照合が無関係の単語とユーザ名との間で実行されるプロセスを省略することができ、照合プロセスで費やされる時間を減らし、これによって、照合プロセスの効率を改善する。
【０１５５】
加えて、呼称情報とユーザ名との間の対応は、通信リスト内に保存される。図１１に示されているように、装置３００は、
ヒストリカル入力情報内の呼称情報およびヒストリカル入力情報に対応するユーザ名を入手するように構成された第１の入手モジュール３０５と、
ヒストリカル入力情報内の呼称情報およびヒストリカル入力情報に対応するユーザ名に従って、ヒストリカル入力情報内の呼称情報とユーザ名との間の対応を確立するように構成された第１の確立モジュール３０６と
対応を記憶するように構成された第１の記憶モジュール３０７と
をさらに含む。
【０１５６】
第１の照合モジュール３０２は、
キー情報から呼称情報を抽出するために、第１の入力情報から抽出されたキー情報に対して意味解析を実行するように構成された第２の抽出ユニット３０２３と、
第１の入力情報内の呼称情報に従って、第１の入力情報内の呼称情報に対応するユーザ名が通信リスト内に存在するかどうかを検出するように構成された第２の検出ユニット３０２４と
を含む。
【０１５７】
第１の判定モジュール３０３は、
第１の入力情報内の呼称情報に対応するユーザ名をターゲットユーザ名として判定するように構成された第２の判定ユニット３０３２
を含む。
【０１５８】
本発明のこの実施形態で提供されるメッセージ表示装置は、入力情報からキー情報を抽出し、キー情報と通信リスト内のユーザ名との間で照合し、入力情報および入力情報内のキー情報と成功して照合するユーザ名を束縛し、束縛された成功して照合されたユーザ名および入力情報を受信端末に送信することができ、その結果、受信端末は、成功して照合されたユーザ名に従ってリマインダメッセージを表示するようになる。ユーザに関係する入力情報を検索するために、未読情報がグループ内の大量の未読情報から順次読み取られる必要がある従来技術と比較して、本発明では、入力情報内のキー情報が抽出され、キー情報が通信リスト内のユーザ名と照合され、入力情報および入力情報内のキー情報と成功して照合するユーザ名が束縛され、受信端末に送信される。成功して照合されたユーザ名に束縛された入力情報を受信した後に、入力情報を表示している間に、受信端末は、入力情報が成功して照合されたユーザ名に関係することを示すリマインダメッセージをも表示する、すなわち、大量の未読情報は、未読情報に関係するユーザを思い出させるリマインダメッセージを担持する。ユーザは、リマインダメッセージによって思い出さされた関係するユーザに従って、大量の未読情報からユーザに関係する入力情報を素早く入手し、これによって、大量の未読情報からユーザに関係する入力情報を検索するためにユーザによって費やされる時間を大幅に減らす。加えて、一般に使用される呼称情報とユーザ名との間の対応が、ヒストリカル入力情報に従って確立され、その結果、ユーザ名とは異なるがユーザ名を指向する呼称情報が、ユーザ名に成功して照合するようになり、これが、成功の照合の正確さのレートを保証することに基づいて成功の照合の範囲を拡張する。
【０１５９】
加えて、図１２に示されているように、装置３００は、
第２の入力情報を受信するように構成された第２の受信モジュール３０８であって、
第２の入力情報は、第１の入力情報が受信された後に受信された入力情報である、受信モジュール３０８と、
第１の入力情報内の名前情報または呼称情報および第２の入力情報内のキー情報を使用することによって、第２の入力情報および第１の入力情報に対して意味相関分析を実行するように構成された第１の相関モジュール３０９と、
第２の入力情報が第１の入力情報に成功して意味的に相関されるときに、第２の入力情報内のキー情報がターゲットユーザ名と成功して照合すると判定するように構成された第２の判定モジュール３１０と、
受信端末が、ターゲットユーザ名に従ってリマインダメッセージを表示するようにするために、第２の入力情報およびターゲットユーザ名を束縛し、受信端末に、束縛された第２の入力情報およびターゲットユーザ名を送信するように構成された第２の送信モジュール３１１と
をさらに含む。
【０１６０】
第１の入力情報が、テキスト入力情報または音声入力情報を含み、第２の入力情報が、テキスト入力情報または音声入力情報を含むことに留意されたい。
【０１６１】
本発明のこの実施形態で提供されるメッセージ表示装置は、入力情報からキー情報を抽出し、キー情報と通信リスト内のユーザ名との間で照合し、入力情報および入力情報内のキー情報と成功して照合するユーザ名を束縛し、束縛された成功して照合されたユーザ名および入力情報を受信端末に送信することができ、その結果、受信端末は、成功して照合されたユーザ名に従ってリマインダメッセージを表示するようになる。ユーザに関係する入力情報を検索するために、未読情報がグループ内の大量の未読情報から順次読み取られる必要がある従来技術と比較して、本発明では、入力情報内のキー情報が抽出され、キー情報が通信リスト内のユーザ名と照合され、入力情報および入力情報内のキー情報と成功して照合するユーザ名が束縛され、受信端末に送信される。成功して照合されたユーザ名に束縛された入力情報を受信した後に、入力情報を表示している間に、受信端末は、入力情報が成功して照合されたユーザ名に関係することを示すリマインダメッセージをも表示する、すなわち、大量の未読情報は、未読情報に関係するユーザを思い出させるリマインダメッセージを担持する。ユーザは、リマインダメッセージによって思い出さされた関係するユーザに従って、大量の未読情報からユーザに関係する入力情報を素早く入手し、これによって、大量の未読情報からユーザに関係する入力情報を検索するためにユーザによって費やされる時間を大幅に減らす。加えて、意味相関分析が、第２の入力情報および第１の入力情報に対して実行される。この形で、名前情報および呼称情報が第２の入力情報内に直接には存在しない場合に、第２の入力情報に束縛され得るターゲットユーザ名が、第２の入力情報と第１の入力情報との間の成功の相関に従って判定され得、その結果、入力情報に束縛されなければならないユーザ名が、より正確かつより包括的に入手されるようになる。
【０１６２】
本発明の実施形態は、メッセージ表示装置４００をさらに提供する。図１３に示されているように、メッセージ表示装置４００は、
第１の配信された情報を受信するように構成された第３の受信モジュール４０１と、
第１の配信された情報からキー情報を抽出し、第１の配信された情報内のキー情報と受信端末に対応するユーザ名との間で照合するように構成された第２の照合モジュール４０２と、
受信端末に対応するユーザ名に成功して照合するキー情報がその中に存在する第１の配信された情報および受信端末に対応するユーザ名を束縛するように構成された第１の束縛モジュール４０３と、
受信端末に対応するユーザ名に従ってリマインダメッセージを表示するように構成された表示モジュール４０４であって、
リマインダメッセージは、受信端末に対応するユーザ名または受信端末に対応するユーザ名に対応する識別情報を含む、表示モジュール４０４と
を含む。
【０１６３】
本発明のこの実施形態で提供されるメッセージ表示装置は、配信された情報からキー情報を抽出し、キー情報と受信端末に対応するユーザ名との間で照合し、受信端末に対応するユーザ名と成功して照合する配信された情報および受信端末に対応するユーザ名を束縛し、受信端末上でリマインダメッセージを表示することができる。ユーザに関係する配信された情報を検索するために、未読情報がグループ内の大量の未読情報から順次読み取られる必要がある従来技術と比較して、本発明では、配信された情報内のキー情報が抽出され、キー情報は、受信端末に対応するユーザ名と照合され、受信端末に対応するユーザ名と成功して照合する配信された情報は、受信端末に対応するユーザ名に束縛され、受信端末は、配信された情報を表示する間にリマインダメッセージをも表示する、すなわち、受信端末上に表示される大量の未読情報は、未読情報に関係するユーザを思い出させるリマインダメッセージを担持する。ユーザは、リマインダメッセージに従って大量の未読情報からユーザに関係する配信された情報を素早く入手することができ、これによって、大量の未読情報からユーザに関係する配信された情報を検索するのにユーザによって費やされる時間を大幅に減らす。
【０１６４】
さらに、キー情報は、名前情報または呼称情報を含む。図１４に示されているように、第２の照合モジュール４０２は、
キー情報から名前情報を抽出するために、第１の配信された情報から抽出されたキー情報に対して意味解析を実行するように構成された第３の抽出ユニット４０２１と、
名前情報が受信端末に対応するユーザ名と一致するかどうかを検出するように構成された第３の検出ユニット４０２２と
を含む。
【０１６５】
第１の束縛モジュール４０３は、
第１の配信された情報内の名前情報が受信端末に対応するユーザ名と一致するときに、第１の配信された情報および受信端末に対応するユーザ名を束縛するように構成された第１の束縛ユニット４０３１
を含む。
【０１６６】
本発明のこの実施形態でさらに提供されるメッセージ表示装置は、配信された情報からキー情報を抽出し、キー情報と受信端末に対応するユーザ名との間で照合し、受信端末に対応するユーザ名と成功して照合する配信された情報および受信端末に対応するユーザ名を束縛し、受信端末上でリマインダメッセージを表示することができる。ユーザに関係する配信された情報を検索するために、未読情報がグループ内の大量の未読情報から順次読み取られる必要がある従来技術と比較して、本発明では、配信された情報内のキー情報が抽出され、キー情報は、受信端末に対応するユーザ名と照合され、受信端末に対応するユーザ名と成功して照合する配信された情報は、受信端末に対応するユーザ名に束縛され、受信端末は、配信された情報を表示する間にリマインダメッセージをも表示する、すなわち、受信端末上に表示される大量の未読情報は、未読情報に関係するユーザを思い出させるリマインダメッセージを担持する。ユーザは、リマインダメッセージに従って大量の未読情報からユーザに関係する配信された情報を素早く入手することができ、これによって、大量の未読情報からユーザに関係する配信された情報を検索するのにユーザによって費やされる時間を大幅に減らす。加えて、人のより特定の名前または呼称が、配信された情報内のキー情報から名前情報を抽出することによって入手され、これは、照合が無関係の単語と受信端末に対応するユーザ名との間で実行されるプロセスを省略することができ、照合プロセスで費やされる時間を減らし、これによって、照合プロセスの効率を改善する。
【０１６７】
さらに、図１５に示されているように、装置４００は、
受信端末に送信されたヒストリカル配信された情報内の呼称情報を入手するように構成された第２の入手モジュール４０５と、
ヒストリカル配信された情報内の呼称情報に従って、ヒストリカル配信された情報内の呼称情報と受信端末に対応するユーザ名との間の対応を確立するように構成された第２の確立モジュール４０６と、
対応を記憶するように構成された第２の記憶モジュール４０７と
をさらに含む。
【０１６８】
第２の照合モジュール４０２は、
キー情報から呼称情報を抽出するために、第１の配信された情報から抽出されたキー情報に対して意味解析を実行するように構成された第４の抽出ユニット４０２３と、
第１の配信された情報内の呼称情報に従って、第１の配信された情報内の呼称情報が受信端末に対応するユーザ名に対応するかどうかを検出するように構成された第４の検出ユニット４０２４と
を含む。
【０１６９】
第１の束縛モジュール４０３は、
第１の配信された情報内の呼称情報が受信端末に対応するユーザ名に対応するときに、第１の配信された情報および受信端末に対応するユーザ名を束縛するように構成された第２の束縛ユニット４０３２
を含む。
【０１７０】
本発明のこの実施形態でさらに提供されるメッセージ表示装置は、配信された情報からキー情報を抽出し、キー情報と受信端末に対応するユーザ名との間で照合し、受信端末に対応するユーザ名と成功して照合する配信された情報および受信端末に対応するユーザ名を束縛し、受信端末上でリマインダメッセージを表示することができる。ユーザに関係する配信された情報を検索するために、未読情報がグループ内の大量の未読情報から順次読み取られる必要がある従来技術と比較して、本発明では、配信された情報内のキー情報が抽出され、キー情報は、受信端末に対応するユーザ名と照合され、受信端末に対応するユーザ名と成功して照合する配信された情報は、受信端末に対応するユーザ名に束縛され、受信端末は、配信された情報を表示する間にリマインダメッセージをも表示する、すなわち、受信端末上に表示される大量の未読情報は、未読情報に関係するユーザを思い出させるリマインダメッセージを担持する。ユーザは、リマインダメッセージに従って大量の未読情報からユーザに関係する配信された情報を素早く入手することができ、これによって、大量の未読情報からユーザに関係する配信された情報を検索するのにユーザによって費やされる時間を大幅に減らす。加えて、一般に使用される呼称情報と受信端末に対応するユーザ名との間の対応が、ヒストリカル配信された情報に従って確立され、その結果、受信端末に対応するユーザ名とは異なるがユーザ名を指向する呼称情報が、受信端末に対応するユーザ名に成功して照合するようになり、これが、成功の照合の正確さのレートを保証することに基づいて成功の照合の範囲を拡張する。
【０１７１】
加えて、第１の配信された情報が受信端末に対応するユーザ名と成功して照合するときに、図１６に示されているように、装置４００は、
第２の配信された情報を受信し、第２の配信された情報からキー情報を抽出するように構成された第４の受信モジュール４０８であって、
第２の配信された情報は、第１の配信された情報が受信された後に受信された配信された情報である、第４の受信モジュール４０８と、
第１の配信された情報内の名前情報または呼称情報と第２の配信された情報内のキー情報とを使用することによって、第２の配信された情報および第１の配信された情報に対して意味相関分析を実行するように構成された第２の相関モジュール４０９と、
第２の配信された情報が第１の配信された情報と成功して意味的に相関されるときに、受信端末に対応するユーザ名および第２の配信された情報を束縛し、リマインダメッセージを表示するように構成された第２の束縛モジュール４１０と
をさらに含む。
【０１７２】
第１の配信された情報が、テキストの配信された情報または音声の配信された情報を含み、第２の配信された情報が、テキストの配信された情報または音声の配信された情報を含むことに留意されたい。
【０１７３】
本発明のこの実施形態でさらに提供されるメッセージ表示装置は、配信情報内のキー情報を抽出し、キー情報と受信端末に対応するユーザ名との間で照合し、受信端末に対応するユーザ名と成功して照合する配信情報および受信端末に対応するユーザ名を束縛し、受信端末上でリマインダメッセージを表示することができる。ユーザに関係する配信された情報を検索するために、未読情報が、グループ内の大量の未読情報から順次読み取られる必要がある従来技術と比較して、本発明では、配信された情報内のキー情報が抽出され、キー情報は、受信端末に対応するユーザ名と照合され、受信端末に対応するユーザ名と成功して照合する配信された情報は、受信端末に対応するユーザ名に束縛され、受信端末は、配信された情報を表示する間にリマインダメッセージをも表示する、すなわち、受信端末上に表示される大量の未読情報は、未読情報に関係するユーザを思い出させるリマインダメッセージを担持する。ユーザは、リマインダメッセージに従って大量の未読情報からユーザに関係する配信された情報を素早く入手することができ、これによって、大量の未読情報からユーザに関係する配信された情報を検索するのにユーザによって費やされる時間を大幅に減らす。加えて、意味相関分析が、第２の配信された情報および第１の配信された情報に対して実行される。この形で、名前情報および呼称情報が第２の配信された情報内に直接には存在しない場合に、第２の配信された情報および受信端末に対応するユーザ名が、第２の配信された情報と第１の配信された情報との間の成功の相関に従って束縛され、その結果、受信端末に対応するユーザ名に束縛された配信された情報が、より正確かつより包括的に入手されるようになる。
【０１７４】
本発明の実施形態は、メッセージ表示デバイス５００をさらに提供する。図１７に示されているように、メッセージ表示デバイス５００は、少なくとも１つの処理ユニット５０１、たとえばＣＰＵと、少なくとも１つの通信ユニット５０２または別の入力ユニット５０３と、ストレージユニット５０４と、出力ユニット５０５と、少なくとも１つの通信バス５０６と、電源５０７とを含む。通信バス５０６は、これらのコンポーネントの間の接続および通信を実施するように構成される。
【０１７５】
処理ユニット５０１は、デバイス５００のコントロールセンタであり、インターフェースおよび信号線を使用することによってデバイス５００全体の様々な部分を接続し、ストレージユニット内に記憶されたソフトウェアプログラムおよび／またはモジュールを走行させるか実行することと、ストレージユニット５０４内に記憶されたデータを呼び出すこととによって、デバイス５００の機能を実行し、かつ／またはデータを処理する。処理ユニット５０１は、集積回路（Ｉｎｔｅｇｒａｔｅｄ  Ｃｉｒｃｕｉｔ、ＩＣ）を含み得、たとえば、単一のパッケージ化されたＩＣを含み、あるいは同一機能もしくは異なる機能を有する複数の接続されたＩＣを含み得る。たとえば、処理ユニット５０１は、中央処理装置（Ｃｅｎｔｒａｌ  Ｐｒｏｃｅｓｓｉｎｇ  Ｕｎｉｔ、ＣＰＵ）だけを含み得、あるいは、ＧＰＵ、デジタル信号プロセッサ（Ｄｉｇｉｔａｌ  Ｓｉｇｎａｌ  Ｐｒｏｃｅｓｓｏｒ、ＤＳＰ）、および通信ユニット内の制御チップ（たとえば、ベースバンドチップ）の組合せを含み得る。本発明の実施の形では、ＣＰＵは、単一のコンピューティングコアとされ得、あるいは、複数のコンピューティングコアを含み得る。
【０１７６】
通信ユニット５０２は、通信チャネルを確立し、デバイス５００が通信チャネルを使用することによってリモートサーバに接続し、リモートサーバからメディアデータをダウンロードするか、あるいは、リモートサーバにメディアデータをアップロードすることを可能にするように構成される。通信ユニット５０２は、無線ローカルエリアネットワーク（Ｗｉｒｅｌｅｓｓ  Ｌｏｃａｌ  Ａｒｅａ  Ｎｅｔｗｏｒｋ、ｗｉｒｅｌｅｓｓ  ＬＡＮ）モジュール、Ｂｌｕｅｔｏｏｔｈモジュールまたはベースバンド（Ｂａｓｅ  Ｂａｎｄ）モジュール、および通信モジュールに対応するラジオ周波数（Ｒａｄｉｏ  Ｆｒｅｑｕｅｎｃｙ、ＲＦ）回路などの通信モジュールを含み得、無線ローカルエリアネットワーク通信、Ｂｌｕｅｔｏｏｔｈ通信、赤外線通信、および／またはセルラ通信システム通信、たとえば高帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、Ｗ−ＣＤＭＡ）および／またはＨｉｇｈ  Ｓｐｅｅｄ  Ｄｏｗｎｌｉｎｋ  Ｐａｃｋｅｔ  Ａｃｃｅｓｓ（Ｈｉｇｈ  Ｓｐｅｅｄ  Ｄｏｗｎｌｉｎｋ  Ｐａｃｋｅｔ  Ａｃｃｅｓｓ、ＨＳＤＰＡ）を実行するように構成される。通信モジュールは、デバイス５００内の様々なコンポーネントの通信を制御するように構成され、直接メモリアクセス（Ｄｉｒｅｃｔ  Ｍｅｍｏｒｙ  Ａｃｃｅｓｓ）をサポートし得る。
【０１７７】
本発明の異なる実施の形では、通信ユニット５０２内の通信モジュールは、通常は集積回路チップ（Ｉｎｔｅｇｒａｔｅｄ  Ｃｉｒｃｕｉｔ  Ｃｈｉｐ）の形態で現れ、選択的に組み合わされ得、すべての通信モジュールおよび対応するアンテナグループを含む必要はない。たとえば、通信ユニット５０２は、セルラ通信システム内で通信機能を提供するために、ベースバンドチップ、ラジオ周波数チップ、および対応するアンテナだけを含み得る。デバイス５００は、通信ユニット５０２によって確立される無線通信接続、たとえば無線ローカルエリアネットワークアクセスまたはＷＣＤＭＡアクセスによってセルラネットワーク（Ｃｅｌｌｕｌａｒ  Ｎｅｔｗｏｒｋ）またはインターネット（Ｉｎｔｅｒｎｅｔ）に接続され得る。本発明のいくつかのオプションの実施の形では、通信ユニット５０２内の通信モジュール、たとえばベースバンドモジュールは、処理ユニット５０１内に集積され得る。
【０１７８】
入力ユニット５０３は、ユーザとデバイス５００との間の対話を実施し、かつ／またはデバイス５００に情報を入力するように構成される。たとえば、入力ユニット５０３は、ユーザセッティングまたは機能制御に関係する信号入力を生成するために、ユーザによって入力された数字情報または文字情報を受信し得る。本発明の特定の実施の形では、入力ユニット５０３は、タッチパネルとされ得、あるいは物理入力キーまたはマイクロホンなどの別のヒューマン−コンピュータ対話インターフェースとされ得、あるいは別の外部情報取込装置、たとえばカメラとされ得る。タッチスクリーンとも呼ばれるタッチパネルは、タッチパネル上またはその近くでのユーザの動作アクション、たとえば任意の適切な物体または指もしくはスタイラスなどのアクセサリを使用することによるタッチパネル上またはタッチパネルの近くの位置でのユーザの動作アクションを収集し、事前にセットされたプログラムに従って対応する接続装置を駆動することができる。任意選択で、タッチパネルは、２つの部分すなわち、タッチ検出装置およびタッチコントローラを含み得る。タッチ検出装置は、ユーザのタッチ動作を検出し、検出されたタッチ動作を電気信号に変換し、電気信号をタッチコントローラに伝送する。タッチコントローラは、タッチ検出装置から電気信号を受信し、電気信号をタッチ点の座標に変換し、座標を処理ユニット５０１に送信する。タッチコントローラは、処理ユニット５０１によって送信されたコマンドをさらに受信し、実行し得る。加えて、タッチパネルは、抵抗性タッチパネル、容量性タッチパネル、赤外線（Ｉｎｆｒａｒｅｄ）タッチパネル、または表面弾性波タッチパネルとされ得る。本発明の別の実施の形では、入力ユニット５０３によって使用される物理入力キーは、物理キーボード、ファンクショナルキー（音量制御キーまたはスイッチキーなど）、トラックボール、マウス、およびジョイスティックのうちの１つまたは複数を含み得るが、これに限定はされない。マイクロホンの形態の入力ユニット５０３は、ユーザまたは環境によって入力された音声を収集し、音声を電気信号の形態のコマンドに変換し得、このコマンドは、処理ユニット５０１によって実行され得る。
【０１７９】
ストレージユニット５０４は、ソフトウェアプログラムおよびモジュールを記憶するように構成され、処理ユニット５０１は、ストレージユニット５０４内に記憶されたソフトウェアプログラムおよびモジュールを走行させることによって、デバイス５００の様々な機能アプリケーションを実行し、データ処理を実施する。ストレージユニット５０４は、主に、プログラムストレージエリアおよびデータストレージエリアを含む。プログラムストレージエリアは、オペレーティングシステム５０４１、少なくとも１つの機能によって要求される、サウンド再生プログラムおよびイメージ表示プログラムなどのアプリケーションプログラム５０４２、および類似物を記憶し得る。データストレージエリアは、デバイス５００の使用に従って作成されたデータ（オーディオデータおよびアドレス帳など）および類似物を記憶し得る。本発明の特定の実施の形では、ストレージユニット５０４は、不揮発性ランダムアクセスメモリ（Ｎｏｎｖｏｌａｔｉｌｅ  Ｒａｎｄｏｍ  Ａｃｃｅｓｓ  Ｍｅｍｏｒｙ、ＮＶＲＡＭ）、相変化ＲＡＭ（Ｐｈａｓｅ  Ｃｈａｎｇｅ  ＲＡＭ、ＰＲＡＭ）、または磁気抵抗ＲＡＭ（Ｍａｇｅｔｏｒｅｓｉｓｔｉｖｅ  ＲＡＭ、ＭＲＡＭ）などの揮発性メモリを含み得、少なくとも１つの磁気ディスクストレージデバイス、電気的消去可能プログラム可能読取専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）またはフラッシュメモリ、たとえばＮＯＲフラッシュメモリ（ＮＯＲ  ｆｌａｓｈ  ｍｅｍｏｒｙ）もしくはＮＡＮＤフラッシュメモリ（ＮＡＮＤ  ｆｌａｓｈ  ｍｅｍｏｒｙ）などの不揮発性メモリをさらに含み得る。不揮発性メモリは、処理ユニット５０１によって実行されるオペレーティングシステム５０４１およびアプリケーションプログラム５０４２を記憶する。処理ユニット５０１は、走行するプログラムおよびデータを不揮発性メモリからメモリにロードし、デジタルコンテンツを大量のストレージ装置に記憶する。オペレーティングシステム５０４１は、メモリ管理、ストレージデバイス制御、および電力管理などの従来のシステムタスクを制御し、管理し、様々なタイプのソフトウェアおよびハードウェアの間での通信を容易にするのに使用される様々なコンポーネントおよび／またはドライバを含む。本発明の実施の形では、オペレーティングシステムは、Ａｎｄｒｏｉｄ（登録商標）システム、ｉＯＳ（登録商標）システム、またはＷｉｎｄｏｗｓ（登録商標）オペレーティングシステムとされ得、あるいは、Ｖｘｗｏｒｋｓ（登録商標）タイプの組込みオペレーティングシステムとされ得る。
【０１８０】
アプリケーションプログラム５０４２は、デバイス５００内にインストールされたすべてのアプリケーションを含み、ブラウザ、電子メール、インスタントメッセージサービス、ワードプロセッシング、キーボード仮想化、ウィンドウウィジェット（Ｗｉｄｇｅｔ）、暗号化、デジタル著作権管理、音声認識、音声応答、測位（たとえば、全地球測位システムによって提供される機能）、音楽再生、および類似物を含むが、これに限定はされない。アプリケーションプログラム５０４２は、第１の受信モジュール３０１、第１の照合モジュール３０２、第１の判定モジュール３０３、第１の送信モジュール３０４、第１の抽出ユニット３０２１、第１の検出ユニット３０２２、第１の判定ユニット３０３１、第１の入手モジュール３０５、第１の確立モジュール３０６、第１の記憶モジュール３０７、第２の抽出ユニット３０２３、第２の検出ユニット３０２４、第２の判定ユニット３０３２、第２の受信モジュール３０８、第１の相関モジュール３０９、第２の判定モジュール３１０、および第２の送信モジュール３１１を含むが、これに限定はされない。
【０１８１】
アプリケーションプログラム５０４２内のモジュールおよびユニットの特定の実施態様については、図９から図１２に示された実施形態の対応モジュールおよびユニットを参照されたく、詳細は、ここでもう一度説明はされない。
【０１８２】
出力ユニット５０５は、イメージ出力ユニットおよびサウンド出力ユニットを含むが、これに限定はされない。イメージ出力ユニットは、テキスト、イメージ、および／またはビデオを出力するように構成される。イメージ出力ユニットは、ディスプレイパネルを含み得る。たとえば、ディスプレイパネルは、ＬＣＤ（Ｌｉｑｕｉｄ  Ｃｒｙｓｔａｌ  Ｄｉｓｐｌａｙ、液晶ディスプレイ）、ＯＬＥＤ（Ｏｒｇａｎｉｃ  Ｌｉｇｈｔ−Ｅｍｉｔｔｉｎｇ  Ｄｉｏｄｅ、有機発光ダイオード）、電界放出ディスプレイ（ｆｉｅｌｄ  ｅｍｉｓｓｉｏｎ  ｄｉｓｐｌａｙ、ＦＥＤ）、または類似物を使用することによって構成され得る。代替案では、イメージ出力ユニットは、反射型ディスプレイ、たとえば電気泳動（ｅｌｅｃｔｒｏｐｈｏｒｅｔｉｃ）ディスプレイ、または光の干渉変調（Ｉｎｔｅｒｆｅｒｏｍｅｔｒｉｃ  Ｍｏｄｕｌａｔｉｏｎ  ｏｆ  Ｌｉｇｈｔ）の技術を使用するディスプレイを含み得る。イメージ出力ユニットは、単一のディスプレイまたは異なるサイズの複数のディスプレイを含み得る。本発明の特定の実施の形では、入力ユニット５０３によって使用されるタッチパネルが、出力ユニット５０５のディスプレイパネルとして使用されてもまたよい。たとえば、タッチパネルにタッチしまたはそれに近付くというジェスチャ動作を検出した後に、タッチパネルは、タッチイベントのタイプを判定するために、タッチ動作を処理ユニット５０１に転送する。その後、処理ユニット５０１は、タッチイベントのタイプに従ってディスプレイパネル上に対応する視覚出力を提供する。入力ユニット５０３および出力ユニット５０５は、デバイス５００の入力機能および出力機能を実施するために２つの別々の部分として使用され得るが、いくつかの実施形態では、タッチパネルおよびディスプレイパネルが、デバイス５００の入力機能および出力機能を実施するために統一体に統合され得る。たとえば、イメージ出力ユニットは、仮想制御コンポーネントとして様々なグラフィカルユーザインターフェース（Ｇｒａｐｈｉｃａｌ  Ｕｓｅｒ  Ｉｎｔｅｒｆａｃｅ、ＧＵＩ）を表示し得、このＧＵＩは、ユーザがタッチコントロールによって動作を実行するための、ウィンドウ、スクロールバー、アイコン、およびクリップボードを含むが、これに限定はされない。
【０１８３】
ビデオ出力ユニットは、処理ユニット５０１によって出力されるオーディオ信号をデジタルフォーマットからアナログフォーマットに変換するように構成されたデジタル−アナログ変換器を含む。
【０１８４】
電源５０７は、コンポーネントの走行を維持するためにデバイス５００の異なるコンポーネントに電力を供給するように構成される。全般的な理解として、電源５０７は、一般的なリチウムイオンバッテリまたはＮｉＭＨバッテリなどの内蔵バッテリとされ得、あるいは、デバイス５００に電力を直接に供給する外部電源、たとえばＡＣアダプタを含み得る。本発明のいくつかの実施の形では、電源５０７は、より幅広い定義を有してもまたよく、たとえば、電力管理システム、充電システム、電源故障検出回路、パワーコンバータまたはパワーインバータ、電力状況インジケータ（たとえば、発光ダイオード）、ならびにウェアラブルデバイス５００の電気エネルギの生成、管理、および分配に関係するすべての他のコンポーネントを含んでもまたよい。
【０１８５】
具体的には、入力ユニット５０３は、第１の入力情報を受信するように構成される。
【０１８６】
処理ユニット５０１は、第１の入力情報からキー情報を抽出し、第１の入力情報内のキー情報と通信リスト内のユーザ名との間で照合するように構成され、ターゲットユーザ名を判定するように構成され、ターゲットユーザ名は、第１の入力情報内のキー情報と成功して照合するユーザ名である。
【０１８７】
通信ユニット５０２は、受信端末が、ターゲットユーザ名に従ってリマインダメッセージを表示するようにするために、第１の入力情報およびターゲットユーザ名を束縛し、束縛された第１の入力情報およびターゲットユーザ名を受信端末に送信するように構成され、リマインダメッセージは、ターゲットユーザ名またはターゲットユーザ名に対応する識別情報を含む。
【０１８８】
さらに、キー情報は、名前情報または呼称情報を含む。
【０１８９】
さらに、処理ユニット５０１は、キー情報から名前情報を抽出するために、第１の入力情報から抽出されたキー情報に対して意味解析を実行するようにさらに構成され、名前情報が通信リスト内のユーザ名と一致するかどうかを検出するように構成され、名前情報と一致する通信リスト内のユーザ名をターゲットユーザ名として判定するように構成される。
【０１９０】
加えて、処理ユニット５０１は、ヒストリカル入力情報内の呼称情報およびヒストリカル入力情報に対応するユーザ名を入手するようにさらに構成され、ヒストリカル入力情報内の呼称情報およびヒストリカル入力情報に対応するユーザ名に従って、ヒストリカル入力情報内の呼称情報とユーザ名との間の対応を確立するように構成される。
【０１９１】
ストレージユニット５０４は、対応を記憶するように構成される。
【０１９２】
さらに、処理ユニット５０１は、キー情報から呼称情報を抽出するために、第１の入力情報から抽出されたキー情報に対して意味解析を実行するようにさらに構成され、第１の入力情報内の呼称情報に従って、第１の入力情報内の呼称情報に対応するユーザ名が通信リスト内に存在するかどうかを検出するように構成され、第１の入力情報内の呼称情報に対応するユーザ名が通信リスト内に存在するときに、第１の入力情報内の呼称情報に対応するユーザ名をターゲットユーザ名として使用するように構成される。
【０１９３】
対応は、通信リスト内に記憶される。
【０１９４】
加えて、入力ユニット５０３は、第２の入力情報を受信し、第２の入力情報からキー情報を抽出するように構成され、第２の入力情報は、第１の入力情報が受信された後に受信された入力情報である。
【０１９５】
処理ユニット５０１は、第１の入力情報内の名前情報または呼称情報および第２の入力情報内のキー情報を使用することによって、第２の入力情報および第１の入力情報に対して意味相関分析を実行するようにさらに構成され、第２の入力情報が第１の入力情報に成功して意味的に相関されるときに、第２の入力情報内のキー情報がターゲットユーザ名と成功して照合すると判定するように構成される。
【０１９６】
通信ユニット５０２は、受信端末が、ターゲットユーザ名に従ってリマインダメッセージを表示するようにするために、第２の入力情報およびターゲットユーザ名を束縛し、受信端末に、束縛された第２の入力情報およびターゲットユーザ名を送信するように構成される。
【０１９７】
第１の入力情報が、テキスト入力情報または音声入力情報を含み、第２の入力情報が、テキスト入力情報または音声入力情報を含むことに留意されたい。
【０１９８】
本発明のこの実施形態で提供されるメッセージ表示デバイスは、入力情報からキー情報を抽出し、キー情報と通信リスト内のユーザ名とを照合し、入力情報と入力情報内のキー情報と成功して照合するユーザ名とを束縛し、束縛された成功して照合されたユーザ名および入力情報を受信端末に送信することができ、その結果、受信端末は、成功して照合されたユーザ名に従ってリマインダメッセージを表示するようになる。ユーザに関係する入力情報を検索するために、未読情報がグループ内の大量の未読情報から順次読み取られる必要がある従来技術と比較して、本発明では、入力情報内のキー情報が抽出され、キー情報が通信リスト内のユーザ名と照合され、入力情報および入力情報内のキー情報と成功して照合するユーザ名が束縛され、受信端末に送信される。成功して照合されたユーザ名に束縛された入力情報を受信した後に、入力情報を表示している間に、受信端末は、入力情報が成功して照合されたユーザ名に関係することを示すリマインダメッセージをも表示する、すなわち、大量の未読情報は、未読情報に関係するユーザを思い出させるリマインダメッセージを担持する。ユーザは、リマインダメッセージによって思い出さされた関係するユーザに従って、大量の未読情報からユーザに関係する入力情報を素早く入手し、これによって、大量の未読情報からユーザに関係する入力情報を検索するためにユーザによって費やされる時間を大幅に減らす。加えて、人のより特定の名前が、入力情報内のキー情報から名前情報を抽出することによって入手され、これは、照合が無関係の単語とユーザ名との間で実行されるプロセスを省略することができ、照合プロセスで費やされる時間を減らし、これによって、照合プロセスの効率を改善する。加えて、一般に使用される呼称情報とユーザ名との間の対応が、ヒストリカル入力情報に従って確立され、その結果、ユーザ名とは異なるがユーザ名を指向する呼称情報が、ユーザ名に成功して照合されるようになり、これが、成功の照合の正確さのレートを保証することに基づいて成功の照合の範囲を拡張する。加えて、意味相関分析が、第２の入力情報および第１の入力情報に対して実行される。この形で、名前情報および呼称情報が第２の入力情報内に直接には存在しない場合に、第２の入力情報に束縛され得るターゲットユーザ名が、第２の入力情報と第１の入力情報との間の成功の相関に従って判定され得、その結果、入力情報に束縛されなければならないユーザ名が、より正確かつより包括的に入手されるようになる。
【０１９９】
本発明の実施形態は、デバイス６００をさらに提供する。図１８に示されているように、デバイス６００は、少なくとも１つの処理ユニット６０１と、たとえばＣＰＵと、少なくとも１つの通信ユニット６０２または別の入力ユニット６０３と、ストレージユニット６０４と、出力ユニット６０５と、少なくとも１つの通信バス６０６と、電源６０７とを含む。通信バス６０６は、これらのコンポーネントの間の接続および通信を実施するように構成される。
【０２００】
処理ユニット６０１は、デバイス６００のコントロールセンタであり、インターフェースおよび信号線を使用することによってデバイス６００全体の様々な部分を接続し、ストレージユニット内に記憶されたソフトウェアプログラムおよび／またはモジュールを走行させるか実行することと、ストレージユニット６０４内に記憶されたデータを呼び出すこととによって、デバイス６００の機能を実行し、かつ／またはデータを処理する。処理ユニット６０１は、集積回路（Ｉｎｔｅｇｒａｔｅｄ  Ｃｉｒｃｕｉｔ、ＩＣ）を含み得、たとえば、単一のパッケージ化されたＩＣを含み、あるいは同一機能もしくは異なる機能を有する複数の接続されたＩＣを含み得る。たとえば、処理ユニット６０１は、中央処理装置（Ｃｅｎｔｒａｌ  Ｐｒｏｃｅｓｓｉｎｇ  Ｕｎｉｔ、ＣＰＵ）だけを含み得、あるいは、ＧＰＵ、デジタル信号プロセッサ（Ｄｉｇｉｔａｌ  Ｓｉｇｎａｌ  Ｐｒｏｃｅｓｓｏｒ、ＤＳＰ）、および通信ユニット内の制御チップ（たとえば、ベースバンドチップ）の組合せを含み得る。本発明の実施の形では、ＣＰＵは、単一のコンピューティングコアとされ得、あるいは、複数のコンピューティングコアを含み得る。
【０２０１】
通信ユニット６０２は、通信チャネルを確立し、デバイス６００が通信チャネルを使用することによってリモートサーバに接続し、リモートサーバからメディアデータをダウンロードするか、あるいは、リモートサーバにメディアデータをアップロードすることを可能にするように構成される。通信ユニット６０２は、無線ローカルエリアネットワーク（Ｗｉｒｅｌｅｓｓ  Ｌｏｃａｌ  Ａｒｅａ  Ｎｅｔｗｏｒｋ、ｗｉｒｅｌｅｓｓ  ＬＡＮ）モジュール、Ｂｌｕｅｔｏｏｔｈモジュールまたはベースバンド（Ｂａｓｅ  Ｂａｎｄ）モジュール、および通信モジュールに対応するラジオ周波数（Ｒａｄｉｏ  Ｆｒｅｑｕｅｎｃｙ、ＲＦ）回路などの通信モジュールを含み得、無線ローカルエリアネットワーク通信、Ｂｌｕｅｔｏｏｔｈ通信、赤外線通信、および／またはセルラ通信システム通信、たとえば高帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、Ｗ−ＣＤＭＡ）および／またはＨｉｇｈ  Ｓｐｅｅｄ  Ｄｏｗｎｌｉｎｋ  Ｐａｃｋｅｔ  Ａｃｃｅｓｓ（Ｈｉｇｈ  Ｓｐｅｅｄ  Ｄｏｗｎｌｉｎｋ  Ｐａｃｋｅｔ  Ａｃｃｅｓｓ、ＨＳＤＰＡ）を実行するように構成される。通信モジュールは、デバイス６００内の様々なコンポーネントの通信を制御するように構成され、直接メモリアクセス（Ｄｉｒｅｃｔ  Ｍｅｍｏｒｙ  Ａｃｃｅｓｓ）をサポートし得る。
【０２０２】
本発明の異なる実施の形では、通信ユニット６０２内の通信モジュールは、通常は集積回路チップ（Ｉｎｔｅｇｒａｔｅｄ  Ｃｉｒｃｕｉｔ  Ｃｈｉｐ）の形態で現れ、選択的に組み合わされ得、すべての通信モジュールおよび対応するアンテナグループを含む必要はない。たとえば、通信ユニット６０２は、セルラ通信システム内で通信機能を提供するために、ベースバンドチップ、ラジオ周波数チップ、および対応するアンテナだけを含み得る。デバイス６００は、通信ユニット６０２によって確立される無線通信接続、たとえば無線ローカルエリアネットワークアクセスまたはＷＣＤＭＡアクセスによってセルラネットワーク（Ｃｅｌｌｕｌａｒ  Ｎｅｔｗｏｒｋ）またはインターネット（Ｉｎｔｅｒｎｅｔ）に接続され得る。本発明のいくつかのオプションの実施の形では、通信ユニット６０２内の通信モジュール、たとえばベースバンドモジュールは、処理ユニット６０１内に集積され得る。
【０２０３】
入力ユニット６０３は、ユーザとデバイス６００との間の対話を実施し、かつ／またはデバイス６００に情報を入力するように構成される。たとえば、入力ユニット６０３は、ユーザセッティングまたは機能制御に関係する信号入力を生成するために、ユーザによって入力された数字情報または文字情報を受信し得る。本発明の特定の実施の形では、入力ユニット６０３は、タッチパネルとされ得、あるいは物理入力キーまたはマイクロホンなどの別のヒューマン−コンピュータ対話インターフェースとされ得、あるいは別の外部情報取込装置、たとえばカメラとされ得る。タッチスクリーンとも呼ばれるタッチパネルは、タッチパネル上またはその近くでのユーザの動作アクション、たとえば任意の適切な物体または指もしくはスタイラスなどのアクセサリを使用することによるタッチパネル上またはタッチパネルの近くの位置でのユーザの動作アクションを収集し、事前にセットされたプログラムに従って対応する接続装置を駆動することができる。任意選択で、タッチパネルは、２つの部分すなわち、タッチ検出装置およびタッチコントローラを含み得る。タッチ検出装置は、ユーザのタッチ動作を検出し、検出されたタッチ動作を電気信号に変換し、電気信号をタッチコントローラに伝送する。タッチコントローラは、タッチ検出装置から電気信号を受信し、電気信号をタッチ点の座標に変換し、座標を処理ユニット６０１に送信する。タッチコントローラは、処理ユニット６０１によって送信されたコマンドをさらに受信し、実行し得る。加えて、タッチパネルは、抵抗性タッチパネル、容量性タッチパネル、赤外線（Ｉｎｆｒａｒｅｄ）タッチパネル、または表面弾性波タッチパネルとされ得る。本発明の別の実施の形では、入力ユニット６０３によって使用される物理入力キーは、物理キーボード、ファンクショナルキー（音量制御キーまたはスイッチキーなど）、トラックボール、マウス、およびジョイスティックのうちの１つまたは複数を含み得るが、これに限定はされない。マイクロホンの形態の入力ユニット６０３は、ユーザまたは環境によって入力された音声を収集し、音声を電気信号の形態のコマンドに変換し得、このコマンドは、処理ユニット６０１によって実行され得る。
【０２０４】
ストレージユニット６０４は、ソフトウェアプログラムおよびモジュールを記憶するように構成され、処理ユニット６０１は、ストレージユニット６０４内に記憶されたソフトウェアプログラムおよびモジュールを走行させることによって、デバイス６００の様々な機能アプリケーションを実行し、データ処理を実施する。ストレージユニット６０４は、主に、プログラムストレージエリアおよびデータストレージエリアを含む。プログラムストレージエリアは、オペレーティングシステム６０４１、少なくとも１つの機能によって要求されるアプリケーションプログラム６０４２（サウンド再生プログラムおよびイメージ表示プログラムなど）、および類似物を記憶し得る。データストレージエリアは、デバイス６００の使用に従って作成されたデータ（オーディオデータおよびアドレス帳など）および類似物を記憶し得る。本発明の特定の実施の形では、ストレージユニット６０４は、不揮発性ランダムアクセスメモリ（Ｎｏｎｖｏｌａｔｉｌｅ  Ｒａｎｄｏｍ  Ａｃｃｅｓｓ  Ｍｅｍｏｒｙ、ＮＶＲＡＭ）、相変化ＲＡＭ（Ｐｈａｓｅ  Ｃｈａｎｇｅ  ＲＡＭ、ＰＲＡＭ）、または磁気抵抗ＲＡＭ（Ｍａｇｅｔｏｒｅｓｉｓｔｉｖｅ  ＲＡＭ、ＭＲＡＭ）などの揮発性メモリを含み得、少なくとも１つの磁気ディスクストレージデバイス、電気的消去可能プログラム可能読取専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）またはフラッシュメモリ、たとえばＮＯＲフラッシュメモリ（ＮＯＲ  ｆｌａｓｈ  ｍｅｍｏｒｙ）もしくはＮＡＮＤフラッシュメモリ（ＮＡＮＤ  ｆｌａｓｈ  ｍｅｍｏｒｙ）などの不揮発性メモリをさらに含み得る。不揮発性メモリは、処理ユニット６０１によって実行されるオペレーティングシステム６０４１およびアプリケーションプログラム６０４２を記憶する。処理ユニット６０１は、走行するプログラムおよびデータを不揮発性メモリからメモリにロードし、デジタルコンテンツを大量のストレージ装置に記憶する。オペレーティングシステム６０４１は、メモリ管理、ストレージデバイス制御、および電力管理などの従来のシステムタスクを制御し、管理し、様々なタイプのソフトウェアおよびハードウェアの間での通信を容易にするのに使用される様々なコンポーネントおよび／またはドライバを含む。本発明の実施の形では、オペレーティングシステムは、Ａｎｄｒｏｉｄ（登録商標）システム、ｉＯＳ（登録商標）システム、またはＷｉｎｄｏｗｓ（登録商標）オペレーティングシステムとされ得、あるいは、Ｖｘｗｏｒｋｓ（登録商標）タイプの組込みオペレーティングシステムとされる。
【０２０５】
アプリケーションプログラム６０４２は、デバイス６００内にインストールされたすべてのアプリケーションを含み、ブラウザ、電子メール、インスタントメッセージサービス、ワードプロセッシング、キーボード仮想化、ウィンドウウィジェット（Ｗｉｄｇｅｔ）、暗号化、デジタル著作権管理、音声認識、音声応答、測位（たとえば、全地球測位システムによって提供される機能）、音楽再生、および類似物を含むが、これに限定はされない。アプリケーションプログラム６０４２は、第３の受信モジュール４０１、第２の照合モジュール４０２、第１の束縛モジュール４０３、表示モジュール４０４、第３の抽出ユニット４０２１、第３の検出ユニット４０２２、第１の束縛ユニット４０３１、第２の入手モジュール４０５、第２の確立モジュール４０６、第２の記憶モジュール４０７、第４の抽出ユニット４０２３、第４の検出ユニット４０２４、第４の検出ユニット４０２４、第２の束縛ユニット４０３２、第４の受信モジュール４０８、第２の相関モジュール４０９、および第２の束縛モジュール４１０を含むが、これに限定はされない。
【０２０６】
アプリケーションプログラム６０４２内のモジュールおよびユニットの特定の実施態様については、図１３から図１６に示された実施形態の対応モジュールおよびユニットを参照されたく、詳細は、ここでもう一度説明はされない。
【０２０７】
出力ユニット６０５は、イメージ出力ユニットおよびサウンド出力ユニットを含むが、これに限定はされない。イメージ出力ユニットは、テキスト、イメージ、および／またはビデオを出力するように構成される。イメージ出力ユニットは、ディスプレイパネルを含み得る。たとえば、ディスプレイパネルは、ＬＣＤ（Ｌｉｑｕｉｄ  Ｃｒｙｓｔａｌ  Ｄｉｓｐｌａｙ、液晶ディスプレイ）、ＯＬＥＤ（Ｏｒｇａｎｉｃ  Ｌｉｇｈｔ−Ｅｍｉｔｔｉｎｇ  Ｄｉｏｄｅ、有機発光ダイオード）、電界放出ディスプレイ（ｆｉｅｌｄ  ｅｍｉｓｓｉｏｎ  ｄｉｓｐｌａｙ、ＦＥＤ）、または類似物を使用することによって構成され得る。代替案では、イメージ出力ユニットは、反射型ディスプレイ、たとえば電気泳動（ｅｌｅｃｔｒｏｐｈｏｒｅｔｉｃ）ディスプレイ、または光の干渉変調（Ｉｎｔｅｒｆｅｒｏｍｅｔｒｉｃ  Ｍｏｄｕｌａｔｉｏｎ  ｏｆ  Ｌｉｇｈｔ）の技術を使用するディスプレイを含み得る。イメージ出力ユニットは、単一のディスプレイまたは異なるサイズの複数のディスプレイを含み得る。本発明の特定の実施の形では、入力ユニット６０３によって使用されるタッチパネルが、出力ユニット６０５のディスプレイパネルとして使用されてもまたよい。たとえば、タッチパネルにタッチしまたはそれに近付くというジェスチャ動作を検出した後に、タッチパネルは、タッチイベントのタイプを判定するために、タッチ動作を処理ユニット６０１に転送する。その後、処理ユニット６０１は、タッチイベントのタイプに従ってディスプレイパネル上に対応する視覚出力を提供する。入力ユニット６０３および出力ユニット６０５は、デバイス６００の入力機能および出力機能を実施するために２つの別々の部分として使用され得るが、いくつかの実施形態では、タッチパネルおよびディスプレイパネルが、デバイス６００の入力機能および出力機能を実施するために統一体に統合され得る。たとえば、イメージ出力ユニットは、仮想制御コンポーネントとして様々なグラフィカルユーザインターフェース（Ｇｒａｐｈｉｃａｌ  Ｕｓｅｒ  Ｉｎｔｅｒｆａｃｅ、ＧＵＩ）を表示し得、このＧＵＩは、ユーザがタッチコントロールによって動作を実行するための、ウィンドウ、スクロールバー、アイコン、およびクリップボードを含むが、これに限定はされない。
【０２０８】
ビデオ出力ユニットは、処理ユニット６０１によって出力されるオーディオ信号をデジタルフォーマットからアナログフォーマットに変換するように構成されたデジタル−アナログ変換器を含む。
【０２０９】
コンポーネントの走行を維持するためにデバイス６００の異なるコンポーネントに電力を供給するように構成される電源６０７。全般的な理解として、電源６０７は、一般的なリチウムイオンバッテリまたはＮｉＭＨバッテリなどの内蔵バッテリとされ得、あるいは、デバイス６００に電力を直接に供給する外部電源、たとえばＡＣアダプタを含み得る。本発明のいくつかの実施の形では、電源６０７は、より幅広い定義を有してもまたよく、たとえば、電力管理システム、充電システム、電源故障検出回路、パワーコンバータまたはパワーインバータ、電力状況インジケータ（たとえば、発光ダイオード）、ならびにデバイス６００の電気エネルギの生成、管理、および分配に関係するすべての他のコンポーネントを含んでもまたよい。
【０２１０】
具体的には、通信ユニット６０２は、第１の配信された情報を受信するように構成される。
【０２１１】
処理ユニット６０１は、第１の配信された情報からキー情報を抽出し、第１の配信された情報内のキー情報と受信端末に対応するユーザ名との間で照合するように構成され、お互いに成功して照合する受信端末に対応するユーザ名および第１の配信された情報を束縛するように構成され、リマインダメッセージを表示するように構成され、リマインダメッセージは、受信端末に対応するユーザ名または受信端末に対応するユーザ名に対応する識別情報を含む。
【０２１２】
さらに、キー情報は、名前情報または呼称情報を含む。
【０２１３】
さらに、処理ユニット６０１は、キー情報から名前情報を抽出するために、第１の配信された情報から抽出されたキー情報に対して意味解析を実行するようにさらに構成され、名前情報が受信端末に対応するユーザ名と一致するかどうかを検出するように構成され、第１の配信された情報内の名前情報が受信端末に対応するユーザ名と一致するときに、第１の配信された情報および受信端末に対応するユーザ名を束縛するように構成される。
【０２１４】
加えて、処理ユニット６０１は、受信端末に送信されたヒストリカル配信された情報内の呼称情報を入手するようにさらに構成され、ヒストリカル配信された情報内の呼称情報に従って、ヒストリカル配信された情報内の呼称情報と受信端末に対応するユーザ名との間の対応を確立する。
【０２１５】
ストレージユニットは、対応を記憶するように構成される。
【０２１６】
さらに、処理ユニット６０１は、キー情報から呼称情報を抽出するために、第１の配信された情報から抽出されたキー情報に対して意味解析を実行するようにさらに構成され、第１の配信された情報内の呼称情報に従って、第１の配信された情報内の呼称情報が受信端末に対応するユーザ名に対応するかどうかを検出するように構成され、第１の配信された情報内の呼称情報が受信端末に対応するユーザ名に対応するときに、第１の配信された情報および受信端末に対応するユーザ名を束縛するように構成される。
【０２１７】
加えて、第１の配信された情報が受信端末に対応するユーザ名と成功して照合するときに、通信ユニット６０２は、第２の配信された情報を受信し、第２の配信された情報からキー情報を抽出するようにさらに構成され、第２の配信された情報は、第１の配信された情報が受信された後に受信された配信された情報である。
【０２１８】
処理ユニット６０１は、第１の配信された情報内の名前情報または呼称情報と第２の配信された情報内のキー情報とを使用することによって、第２の配信された情報および第１の配信された情報に対して意味相関分析を実行するようにさらに構成され、第２の配信された情報が第１の配信された情報と成功して意味的に相関されるときに、受信端末に対応するユーザ名および第２の配信された情報を束縛し、リマインダメッセージを表示するように構成される。
【０２１９】
第１の配信された情報が、テキストの配信された情報または音声の配信された情報を含み、第２の配信された情報が、テキストの配信された情報または音声の配信された情報を含むことに留意されたい。
【０２２０】
本発明のこの実施形態でさらに提供されるメッセージ表示デバイスは、配信された情報からキー情報を抽出し、キー情報と受信端末に対応するユーザ名との間で照合し、受信端末に対応するユーザ名と成功して照合する配信された情報および受信端末に対応するユーザ名を束縛し、受信端末上でリマインダメッセージを表示することができる。ユーザに関係する配信された情報を検索するために、未読情報がグループ内の大量の未読情報から順次読み取られる必要がある従来技術と比較して、本発明では、配信された情報内のキー情報が抽出され、キー情報は、受信端末に対応するユーザ名と照合され、受信端末に対応するユーザ名と成功して照合する配信された情報は、受信端末に対応するユーザ名に束縛され、受信端末は、配信された情報を表示する間にリマインダメッセージをも表示する、すなわち、受信端末上に表示される大量の未読情報は、未読情報に関係するユーザを思い出させるリマインダメッセージを担持する。ユーザは、リマインダメッセージに従って大量の未読情報からユーザに関係する配信された情報を素早く入手することができ、これによって、大量の未読情報からユーザに関係する配信された情報を検索するのにユーザによって費やされる時間を大幅に減らす。加えて、人のより特定の名前または呼称が、配信された情報内のキー情報から名前情報を抽出することによって入手され、これは、照合が無関係の単語と受信端末に対応するユーザ名との間で実行されるプロセスを省略することができ、照合プロセスで費やされる時間を減らし、これによって、照合プロセスの効率を改善する。加えて、一般に使用される呼称情報と受信端末に対応するユーザ名との間の対応が、ヒストリカル配信された情報に従って確立され、その結果、受信端末に対応するユーザ名とは異なるがユーザ名を指向する呼称情報が、受信端末に対応するユーザ名に成功して照合するようになり、これが、成功の照合の正確さのレートを保証することに基づいて成功の照合の範囲を拡張する。加えて、意味相関分析が、第２の配信された情報および第１の配信された情報に対して実行される。この形で、名前情報および呼称情報が第２の配信された情報内に直接には存在しない場合に、第２の配信された情報および受信端末に対応するユーザ名が、第２の配信された情報と第１の配信された情報との間の成功の相関に従って束縛され、その結果、受信端末に対応するユーザ名に束縛された配信された情報が、より正確かつより包括的に入手されるようになる。
【０２２１】
本明細書内の実施形態は、すべて、漸進的な形で説明され、諸実施形態の同一の部分または類似する部分について、参照が、これらの実施形態に対して行われることがあり、各実施形態は、他の実施形態からの相違に焦点を合わせたものである。特に、装置実施形態およびデバイス実施形態は、方法実施形態に基本的に類似し、したがって、短く説明される。関係する部分については、方法実施形態の部分的説明を参照されたい。
【０２２２】
当業者は、諸実施形態の方法のプロセスのすべてまたは一部が、関連ハードウェアに命令するコンピュータプログラムによって実施され得ることを理解し得る。プログラムは、コンピュータ可読記憶媒体に記憶され得る。プログラムが走行するときに、諸実施形態の方法のプロセスが実行される。前述の記憶媒体は、磁気ディスク、光ディスク、読取専用メモリ（Ｒｅａｄ−Ｏｎｌｙ  Ｍｅｍｏｒｙ、ＲＯＭ）、またはランダムアクセスメモリ（Ｒａｎｄｏｍ  Ａｃｃｅｓｓ  Ｍｅｍｏｒｙ、ＲＡＭ）を含み得る。
【０２２３】
前述の説明は、単に本発明の特定の実施形態であって、本発明の保護範囲を限定することは意図されていない。本発明で開示される技術的範囲内で当業者によってたやすく見つけ出されるすべての変形または置換は、本発明の保護範囲に含まれなければならない。したがって、本発明の保護範囲は、特許請求の範囲の保護範囲に従属しなければならない。
【図１】
0006434640.tif 000002
【図１ａ】
0006434640.tif 000003
【図１ｂ】
0006434640.tif 000004
【図２】
0006434640.tif 000005
【図３】
0006434640.tif 000006
【図４】
0006434640.tif 000007
【図５】
0006434640.tif 000008
【図６】
0006434640.tif 000009
【図７】
0006434640.tif 000010
【図８】
0006434640.tif 000011
【図９】
0006434640.tif 000012
【図１０】
0006434640.tif 000013
【図１１】
0006434640.tif 000014
【図１２】
0006434640.tif 000015
【図１３】
0006434640.tif 000016
【図１４】
0006434640.tif 000017
【図１５】
0006434640.tif 000018
【図１６】
0006434640.tif 000019
【図１７】
0006434640.tif 000020
【図１８】
0006434640.tif 000021